(57)【特許請求の範囲】
【請求項１】
１つ以上の付加的な通信デバイスと通信する通信デバイスであって、該通信デバイスは、
１つ以上のアイテムを表示するように構成された表示画面と、
該表示画面に通信可能に結合されたマイクロプロセッサであって、該マイクロプロセッサは、該１つ以上のアイテムと、該１つ以上のアイテムに関連付けられた１つ以上のコメントとを管理するアイテム管理アプリケーションの動作を制御する、マイクロプロセッサと
を備え、
該アイテム管理アプリケーションは、
グループに参加するように、該１つ以上の付加的な通信デバイスのユーザを招待することと、
該グループに参加する該１つ以上の付加的な通信デバイスのユーザに基づいてメンバーを規定することと、
選択されるアイテムを、該メンバーに関連付けられた該１つ以上の付加的な通信デバイスにプッシュ配信することであって、該選択されるアイテムは、共有されるタスクのリストを含む、ことと、
該リスト内の共有されるタスクの各々に隣接する第１のタイプの指標を提供することであって、該第１のタイプの指標は、対応する共有されるタスクの状態を識別する、ことと、
該リスト内の少なくとも１つの共有されるタスクに対する優先レベルの選択を、該メンバーに関連付けられた該１つ以上の付加的な通信デバイスから受信することであって、該優先レベルは、該第１のタイプの指標および該対応する共有されるタスクのうちの少なくとも一方の特徴を用いて示され、第１の優先レベルは、第１の特徴を用いて示され、第２の優先レベルは、第２の特徴を用いて示され、該第１の特徴と該第２の特徴とは異なる、ことと、
該プッシュ配信された選択されるアイテムに関連付けられたアイコンを該表示画面上に提示することであって、該アイコンは、該メンバーに関連付けられた該１つ以上の付加的な通信デバイスによって受信される該プッシュ配信された選択されるアイテムを識別する、ことと、
該メンバーに関連付けられた該１つ以上の付加的な通信デバイスからプッシュ配信される１つ以上のコメントを受信することであって、該プッシュ配信された１つ以上のコメントは、該プッシュ配信された選択されるアイテムに関連付けられている、ことと、
新しいプッシュ配信された選択されるアイテムおよび新しいプッシュ配信される１つ以上のコメントのうちの少なくとも１つの受信を識別する第２のタイプの指標を該アイコン上に提示することと
を行うように構成されている、通信デバイス。
【請求項２】
前記共有されるタスクのリストは、買物リスト、実行することのリスト、贈物リストのうちの１つである、請求項１に記載の通信デバイス。
【請求項３】
前記アイテム管理アプリケーションは、前記リストが変化する場合に、前記メンバーに関連付けられた各通信デバイスに該共有されるタスクのリストを提供する、請求項１に記載の通信デバイス。
【請求項４】
前記アイテム管理アプリケーションは、ほぼリアルタイムで、前記１つ以上のアイテムをプッシュ配信するように構成されている、請求項１に記載の通信デバイス。
【請求項５】
前記アイテム管理アプリケーションは、前記１つ以上の付加的な通信デバイスから、リアルタイムで前記プッシュ配信された１つ以上のコメントを受信するように構成されている、請求項４に記載の通信デバイス。
【請求項６】
前記通信デバイスは、スマートフォン、携帯情報端末、ラップトップ、コンピュータのうちの１つである、請求項１に記載の通信デバイス。
【請求項７】
前記１つ以上のコメントは、音声メッセージを含む、請求項１に記載の通信デバイス。
【発明の詳細な説明】
【技術分野】
【０００１】
（優先権主張）
本願は、米国特許出願第１２／４２０，６４０号（２００９年４月８日出願）の優先権を主張し、この出願は、本明細書に参照により援用される。
【０００２】
（著作権通告）
本特許文献の開示の一部分は、（著作権またはマスクワーク）保護を受ける資料を含有する。（著作権またはマスクワーク）所有者は、特許商標局の特許ファイルまたは記録に見られるように、任意の者による特許文献または特許開示の複製に異議はないが、そうでなければ、いかなるものであれ全ての（著作権またはマスクワーク）権利を留保する。
【０００３】
（分野）
本開示は、広義では、通信能力を有する電子デバイスを対象とする。本開示はさらに、グループに結び付けられているアイテムおよびコメントともに通信デバイスを使用して、アイテムおよび関連コメントの送受信を管理することに関する。
【背景技術】
【０００４】
（背景情報）
人々は、日々、相互と通信するために通信デバイスをより多く使用するようになっている。音声通信に加えて、代替的なメッセージングシステム、例えば、ショートメッセージサービス（ＳＭＳ）、マルチメディアメッセージサービス（ＭＭＳ）、Ｅメール、および音声メッセージが使用されている。一般的には、これらのメッセージサービスは、リアルタイム（またはほぼリアルタイム）では動作していない。例えば、Ｅメールのような最も従来的な通信システムは、メッセージが受信されたかどうかを確認するために、通信デバイスが通信デバイスと関連付けられた受信箱をチェックするポーリングを必要とする。一般的には、受信箱のチェックは、周期的に行われる。バッテリの寿命を節約するために、いくつかの通信デバイスは、受信箱のチェック間の時間を延長する。
【発明の概要】
【課題を解決するための手段】
【０００５】
本明細書で説明されるソフトウェアは、コンパクトディスク（ＣＤ）、デジタル多目的ディスク（ＤＶＤ）、フロッピー（登録商標）ディスク、ハードドライブ、読出し専用メモリ（ＲＯＭ）、ランダムアクセスメモリ（ＲＡＭ）、ならびにソフトウェアを記憶することが可能な他の物理媒体、および／またはそれらの組み合わせを含むが、それらに限定されない１つ以上の物理媒体で、明白に具現化されてもよいことが留意される。また、図は種々の構成要素（例えば、サーバ、モバイルデバイス、およびネットワーク要素等）を別々に図示する。種々の構成要素において果たされるものとして説明される機能は、他の構成要素において果たされてもよく、種々の構成要素が組み合わせられ、および／または分離されてもよい。他の修正も行われてもよい。
例えば、本発明は以下の項目を提供する。
（項目１）
通信デバイスであって、
１つ以上のアイテムを表示するように構成される表示画面と、
該表示画面に通信可能に連結されるマイクロプロセッサと、
該１つ以上のアイテム、および該１つ以上のアイテムの各々と関連付けられた１つ以上のコメントを管理するように構成されるアイテム管理アプリケーションと
を備え、
該マイクロプロセッサは、該アイテム管理アプリケーションの動作を制御するように構成され、
該アイテム管理アプリケーションは、ピアツーピアのサーバレスネットワーク内でアイテムを１つ以上の付加的な通信デバイスに提供するように構成され、各通信デバイスは、グループと関連付けられ、特定のアイテムは、該グループと関連付けられる該通信デバイス間で共有され、
該アイテム管理アプリケーションは、該アイテムと関連付けられている該グループにより、該ピアツーピアのサーバレスネットワーク内で特定のアイテムに関する該１つ以上のコメントを該通信デバイスに提供するようにさらに構成される、通信デバイス。
（項目２）
前記特定のアイテムは、リスト、写真、会話、カレンダー、またはアドレス帳のうちの１つである、項目１に記載の通信デバイス。
（項目３）
前記リストは、買物リスト、実行することのリスト、または贈物リストのうちの１つである、項目２に記載の通信デバイス。
（項目４）
前記アイテム管理アプリケーションは、前記リストが変化する場合に、前記グループと関連付けられた各通信デバイスに該リストを提供する、項目２に記載の通信デバイス。
（項目５）
前記アイテム管理アプリケーションは、新しい入力が入力されること、入力が削除されること、または入力が修正されることのうちの少なくとも１つの場合に、前記グループと関連付けられた各通信デバイスに前記カレンダーを提供するように構成される、項目２に記載の通信デバイス。
（項目６）
前記アイテム管理アプリケーションは、ほぼリアルタイムで、前記グループと関連付けられた各通信デバイスに前記１つ以上のアイテムおよび関連する１つ以上のコメントを提供するように構成される、項目１に記載の通信デバイス。
（項目７）
前記アイテム管理アプリケーションは、１つ以上のプッシュメッセージを送信することによって、前記１つ以上のアイテムおよび関連する１つ以上の  コメントを提供するように構成される、項目６に記載の通信デバイス。
（項目８）
前記通信デバイスは、スマートフォン、携帯情報端末、ラップトップ、またはコンピュータのうちの１つである、項目１に記載の通信デバイス。
（項目９）
前記関連コメントは、音声メッセージを含む、項目１に記載の通信デバイス。
（項目１０）
通信デバイス上でアイテム管理アプリケーションを提供することと、
該通信デバイス上に表示されるグループの選択を受信することであって、該グループは、少なくとも２つのメンバーを備える、ことと、
ピアツーピアのサーバレスネットワーク内でアイテムを１つ以上の付加的な通信デバイスに提供することであって、該１つ以上の付加的な通信デバイスの各々は、該グループと関連付けられ、該グループは、該アイテムと関連付けられる、ことと、
該アイテムと関連付けられている該グループにより、該ピアツーピアのサーバレスネットワーク内で該アイテムに関する１つ以上のコメントを提供することと
を含む、方法。
（項目１１）
前記アイテムは、リスト、写真、会話、カレンダー、またはアドレス帳のうちの１つである、項目１０に記載の方法。
（項目１２）
前記リストは、買物リスト、実行することのリスト、または贈物リストのうちの１つである、項目１１に記載の方法。
（項目１３）
前記リストが変化する場合に、前記リストを受信し、表示することをさらに含む、項目１１に記載の方法。
（項目１４）
新しい入力が入力されること、入力が削除されること、または入力が修正されることのうちの少なくとも１つの場合に、前記カレンダーを受信し、表示することをさらに含む、項目１１に記載の方法。
（項目１５）
前記ピアツーピアのサーバレスネットワーク内で前記アイテムを通信デバイスに提供することは、１つ以上のプッシュメッセージを使用して、ほぼリアルタイムで提供される、項目１１に記載の方法。
（項目１６）
前記ネットワーク上で通信デバイスに１つ以上のコメントを提供することは、１つ以上のプッシュメッセージを使用して、ほぼリアルタイムで提供される、項目１１に記載の方法。
（項目１７）
前記通信デバイスは、スマートフォン、携帯情報端末、ラップトップ、またはコンピュータのうちの１つである、項目１０に記載の方法。
（項目１８）
前記関連コメントは、音声メッセージを備える、項目１０に記載の方法。
（項目１９）
通信デバイスに対する１つ以上のアイテムおよび１つ以上のコメントを管理するように構成されるアイテム管理アプリケーションを有するプロセッサ可読媒体であって、該アイテム管理アプリケーションは、
通信デバイス上で該アイテム管理アプリケーションを提供することと、
該通信デバイス上に表示されるグループの選択を受信することであって、該グループは、少なくとも２つのメンバーを備える、ことと、
ピアツーピアのサーバレスネットワーク内でアイテムを１つ以上の付加的な通信デバイスに提供することであって、該１つ以上の付加的な通信デバイスの各々は、該グループと関連付けられ、該グループは、該アイテムと関連付けられる、ことと、
該アイテムと関連付けられている該グループにより、該ピアツーピアのサーバレスネットワーク内で該アイテムに関する１つ以上のコメントを該付加的な通信デバイスの各々に提供することと
を該通信デバイスに行わせる、プロセッサ可読媒体。
（項目２０）
前記通信デバイスは、スマートフォン、携帯情報端末、ラップトップ、またはコンピュータのうちの１つである、項目１９に記載のプロセッサ可読媒体。
【図面の簡単な説明】
【０００６】
例示的実施形態のより完全な理解を容易にするために、ここで添付図面を参照する。これらの図面は、限定として解釈されるべきではなく、例示にすぎないものとなることを目的としている。
【図１Ａ】図１Ａは、例示的実施形態による、縮小ＱＷＥＲＴＹキーボードを有し、メッセージングアプリケーションを組み込むことが可能である、手持ち式通信デバイスの正面図である。
【図１Ｂ】図１Ｂは、例示的実施形態による、完全ＱＷＥＲＴＹキーボードを有し、メッセージングアプリケーションを組み込むことが可能である、手持ち式通信デバイスの正面図である。
【図２】図２は、例示的実施形態による、通信ネットワーク内で相互作用する手持ち式通信デバイスを表すブロック図である。
【図３】図３は、例示的実施形態による、グループのメンバー間の関係を示すブロック図である。
【図４】図４は、例示的実施形態による、グループアプレットを示すスクリーンショットである。
【図５】図５は、例示的実施形態による、家族グループ用の位置アプレットのスクリーンショットである。
【図６】図６は、例示的実施形態による、位置アプレットの地図のスクリーンショットである。
【図７】図７は、例示的実施形態による、リストアプレットのスクリーンショットである。
【図８】図８は、例示的実施形態による、会話のスクリーンショットである。
【図９】図９は、例示的実施形態による、写真ホーム画面のスクリーンショットである。
【図１０】図１０は、例示的実施形態による、フォトビューアのスクリーンショットである。
【図１１】図１１は、例示的実施形態による、写真のスクリーンショットである。
【図１２】図１２は、例示的実施形態による、カレンダーのスクリーンショットである。
【図１３】図１３は、例示的実施形態による、アドレス帳のスクリーンショットである。
【図１４】図１４は、例示的実施形態による、アイテムおよび関連コメントを管理するための方法のフローチャートである。
【図１５Ａ】図１５Ａは、例示的実施形態による、写真を撮影し、写真をグループに送信するための方法のフローチャートである。
【図１５Ｂ】図１５Ｂは、例示的実施形態による、グループホーム画面のスクリーンショットである。
【図１５Ｃ】図１５Ｃは、例示的実施形態による、キャプションを入力するプロンプトのスクリーンショットである。
【図１５Ｄ】図１５Ｄは、例示的実施形態による、写真およびキャプションのスクリーンショットである。
【図１６】図１６は、例示的実施形態による、写真をグループに送信するための方法のフローチャートである。
【図１７Ａ】図１７Ａは、例示的実施形態による、写真と関連付けられたコメントを追加し、コメントをグループに送信するための方法のフローチャートである。
【図１７Ｂ】図１７Ｂは、例示的実施形態による、「写真について話し合う」オプションがハイライトされたメニューのスクリーンショットである。
【図１７Ｃ】図１７Ｃは、例示的実施形態による、コメントを入力するプロンプトのスクリーンショットである。
【図１７Ｄ】図１７Ｄは、例示的実施形態による、グループに投稿されているコメントのスクリーンショットである。
【図１８Ａ】図１８Ａは、例示的実施形態による、音声注釈を写真に追加するための方法のフローチャートである。
【図１８Ｂ】図１８Ｂは、例示的実施形態による、「音声注釈を追加する」オプションがハイライトされたメニューのスクリーンショットである。
【図１８Ｃ】図１８Ｃは、例示的実施形態による、音声注釈を録音するための表示のスクリーンショットである。
【図１８Ｄ】図１８Ｄは、例示的実施形態による、音声注釈を添付するための表示のスクリーンショットである。
【図１８Ｅ】図１８Ｅは、例示的実施形態による、録音された音声注釈を有する写真の表示のスクリーンショットである。
【図１９Ａ】図１９Ａは、例示的実施形態による、写真をお気に入りリストに追加するための方法のフローチャートである。
【図１９Ｂ】図１９Ｂは、例示的実施形態による、「お気に入りとしてタグ付けする」オプションがハイライトされたメニューのスクリーンショットである。
【図２０Ａ】図２０Ａは、例示的実施形態による、写真へのキャプションを編集するための方法のフローチャートである。
【図２０Ｂ】図２０Ｂは、例示的実施形態による、「キャプションを編集する」オプションがハイライトされたメニューのスクリーンショットである。
【図２０Ｃ】図２０Ｃは、例示的実施形態による、編集されているキャプションのスクリーンショットである。
【図２１Ａ】図２１Ａは、例示的実施形態による、以前のコメントを削除するための方法のフローチャートである。
【図２１Ｂ】図２１Ｂは、例示的実施形態による、「以前のコメントを削除する」オプションがハイライトされたメニューのスクリーンショットである。
【図２２Ａ】図２２Ａは、例示的実施形態による、写真を削除するための方法のフローチャートである。
【図２２Ｂ】図２２Ｂは、例示的実施形態による、「写真を削除する」オプションがハイライトされたメニューのスクリーンショットである。
【図２３Ａ】図２３Ａは、例示的実施形態による、アイテムまたはアイテムと関連付けられた会話をアーカイブに保管するための方法のフローチャートである。
【図２３Ｂ】図２３Ｂは、例示的実施形態による、「送信する」オプションを選択するためのメニューのスクリーンショットである。
【図２３Ｃ】図２３Ｃは、例示的実施形態による、アイテムまたはアイテムと関連付けられた会話を送信するための異なる手段を一覧にする、メニューのスクリーンショットである。
【図２４Ａ】図２４Ａは、例示的実施形態による、グループアプレットの別のスクリーンショットである。
【図２４Ｂ】図２４Ｂは、例示的実施形態による、試験グループのメイン画面のスクリーンショットである。
【図２４Ｃ】図２４Ｃは、例示的実施形態による、概観アプレットがハイライトされている試験グループのスクリーンショットである。
【図２４Ｄ】図２４Ｄは、例示的実施形態による、概観アプレットのスクリーンショットである。
【図２４Ｅ】図２４Ｅは、例示的実施形態による、ハイライトされている記録オプションのスクリーンショットである。
【図２４Ｆ】図２４Ｆは、例示的実施形態による、選択されたスレッドのスクリーンショットである。
【図２５Ａ】図２５Ａは、例示的実施形態による、オーバーレイを伴うフォトビューアのスクリーンショットである。
【図２５Ｂ】図２５Ｂは、例示的実施形態による、オーバーレイがないフォトビューアのスクリーンショットである。
【図２５Ｃ】図２５Ｃは、例示的実施形態による、「コテージ」の写真について話し合うために「写真について話し合う」オプションがハイライトされているメニューのスクリーンショットである。
【図２５Ｄ】図２５Ｄは、例示的実施形態による、コテージの写真と関連付けられるコメントを入力するプロンプトのスクリーンショットである。
【図２５Ｅ】図２５Ｅは、例示的実施形態による、コテージの写真について投稿されているコメントのスクリーンショットである。
【図２５Ｆ】図２５Ｆは、例示的実施形態による、最新の写真が追加されている、選択されたスレッドのスクリーンショットである。
【図２５Ｇ】図２５Ｇは、例示的実施形態による、オーバーレイ、およびメッセージまたはコメントが投稿されていることを示すアイコンを伴う、フォトビューアのスクリーンショットである。
【図２５Ｈ】図２５Ｈは、例示的実施形態による、新しいコメントが追加されている概観アプレットのスクリーンショットである。
【図２５Ｉ】図２５Ｉは、例示的実施形態による、選択されたスレッドのスクリーンショットである。
【図２６Ａ】図２６Ａは、例示的実施形態による、試験グループと関連付けられた活動を示すアイコンを有する、通信デバイスのホーム画面のスクリーンショットである。
【図２６Ｂ】図２６Ｂは、例示的実施形態による、試験グループの中の新しい活動を示すアイコンを含む、グループアプレットのスクリーンショットである。
【図２６Ｃ】図２６Ｃは、例示的実施形態による、グループ写真の中の新しい活動を示すアイコンを含む、試験グループのホーム画面のスクリーンショットである。
【図２６Ｄ】図２６Ｄは、例示的実施形態による、グループ写真がハイライトされている試験グループのスクリーンショットである。
【図２６Ｅ】図２６Ｅは、例示的実施形態による、グループ写真セクションのホーム画面のスクリーンショットである。
【図２６Ｆ】図２６Ｆは、例示的実施形態による、画面をスクロールダウンした後のグループ写真のスクリーンショットである。
【図２６Ｇ】図２６Ｇは、例示的実施形態による、複数の写真を有するオーバーレイを伴う、選択された写真のスクリーンショットである。
【図２６Ｈ】図２６Ｈは、例示的実施形態による、複数の写真を有するオーバーレイがない、選択された写真のスクリーンショットである。
【図２６Ｉ】図２６Ｉは、例示的実施形態による、複数の写真を有するオーバーレイを伴う、別の選択された写真のスクリーンショットである。
【図２６Ｊ】図２６Ｊは、例示的実施形態による、複数の写真を有するオーバーレイがない、別の選択された写真のスクリーンショットである。
【図２６Ｋ】図２６Ｋは、例示的実施形態による、概観アプレットがハイライトされている試験グループのホーム画面のスクリーンショットである。
【図２６Ｌ】図２６Ｌは、例示的実施形態による、メッセージを一覧にする概観セクションのスクリーンショットである。
【図２６Ｍ】図２６Ｍは、例示的実施形態による、概観アプレットの中のスレッドがハイライトされているスクリーンショットである。
【図２６Ｎ】図２６Ｎは、例示的実施形態による、ハイライトされたスレッドと関連付けられた写真のスクリーンショットである。
【発明を実施するための形態】
【０００７】
通信デバイスのユーザ間でリアルタイムまたはほぼリアルタイムの「会話」を行うことは非現実的となり得る。一般的には、従来のメッセージングシステムは、メッセージを受信するため、およびメッセージを各特定受信者に送信するために、連絡先のリストを生成するようにメッセージの発信者に要求する。リストを生成することは時間がかかるだけでなく、メッセージの発信者が１つ以上の連絡先をリストから不注意に省く機会も許容する。結果として、誰かが省かれた個人または人々をメッセージング連鎖に追加しない限り、元のメッセージから省かれた個人が、メッセージ、追跡コメント、またはそれらの組み合わせを決して受信しない場合がある。さらに、同じグループへのメッセージを生成するために、発信者は、受信者のリストを再び生成しなければならない場合がある。
【０００８】
図１Ａおよび１Ｂを参照すると、例示的実施形態による、各々がメッセージングアプリケーションを組み込むことが可能である、縮小ＱＷＥＲＴＹキーボードおよび完全ＱＷＥＲＴＹキーボードを各々有する手持ち式通信デバイスの正面図である。示されるように、例示的な通信デバイス１００は、図２のブロック図で例示されるような無線ネットワーク３１９に通信可能に連結される。これらの図は例示的にすぎず、当業者であれば、特定のネットワーク環境内で通信デバイス１００を稼働させるために必要である、付加的な要素および修正を理解するであろう。図示された実施形態では、通信デバイス１００は、スマートフォンであるが、他の実施形態では、通信デバイス１００は、携帯情報端末（ＰＤＡ）、ラップトップコンピュータ、デスクトップコンピュータ、サーバ、または電子メッセージを送受信することが可能な他の通信デバイスであってもよい。
【０００９】
図２を参照すると、例示的実施形態による通信デバイスのブロック図が図示されている。示されるように、通信デバイス１００は、通信デバイス１００の動作を制御するマイクロプロセッサ２３８を含む。通信サブシステム２１１が、無線ネットワーク２１９との全ての伝送および受信を行う。マイクロプロセッサ２３８はさらに、通信デバイス１００に通信可能に連結することができる、補助入出力（Ｉ／Ｏ）サブシステム２２８と通信可能に連結することができる。加えて、少なくとも１つの実施形態では、マイクロプロセッサ２３８は、シリアルポート２３０を介した他のデバイスまたはシステムとの通信を可能にすることができる、シリアルポート（例えば、ユニバーサルシリアルバスポート）２３０に通信可能に連結することができる。通信デバイス１００の操作者への情報の表示を可能にするために、ディスプレイ１２２をマイクロプロセッサ２３８に通信可能に連結することができる。通信デバイス１００がキーボード１３２を装備するときに、キーボードはまた、マイクロプロセッサ２３８と通信可能に連結することもできる。通信デバイス１００は、スピーカ２３４と、マイクロホン２３６と、ランダムアクセスメモリ（ＲＡＭ）と、フラッシュメモリ２２４とを含むことができ、その全てがマイクロプロセッサ２３８に通信可能に連結されてもよい。他の同様の構成要素も、通信デバイス１００上に提供されてもよく、随意で、マイクロプロセッサ２３８に通信可能に連結されてもよい。他の通信サブシステム２４０および他の通信デバイスサブシステム２４２も、概して、マイクロプロセッサ２３８と機能的に接続されるものとして示されている。通信サブシステム２４０の実施例は、ＢＬＵＥＴＯＯＴＨ（登録商標）通信モジュールまたはＷＩ−ＦＩ（登録商標）通信モジュール（ＩＥＥＥ  ８０２．１１ｂに準拠している通信モジュール）、ならびに関連回路および構成要素等の短距離通信システムの実施例である。加えて、マイクロプロセッサ２３８は、オペレーティングシステム機能を果たすことができ、通信デバイス１００上でのプログラムの実行を可能にする。いくつかの実施形態では、上記の構成要素の全てが通信デバイス１００に含まれなくてもよい。例えば、少なくとも１つの実施形態では、キーボード１３２が別個の構成要素として提供されず、代わりに、以下で説明されるようにタッチスクリーンと一体化している。
【００１０】
補助Ｉ／Ｏサブシステム２２８は、図１Ａおよび１Ｂに示された例示的実施形態で図示されるようなトラックボールナビゲーションツール２２１、またはサムホイール、ナビゲーションパッド、ジョイスティック、タッチセンサ式インターフェース、あるいは他のＩ／Ｏインターフェース等の、種々の異なるナビゲーションツール（多方向または単一方向）の形態を成すことができる。これらのナビゲーションツールは、通信デバイス１００の前面上に位置してもよく、または通信デバイス１００の任意の外面上に位置してもよい。他の補助Ｉ／Ｏサブシステムは、外部表示デバイスと、外部接続キーボード（図示せず）とを含むことができる。補助Ｉ／Ｏサブシステム２２８に関して、上記の実施例が提供されているが、入力を提供すること、または通信デバイス１００から出力を受信することが可能な他のサブシステムが、本開示の範囲内で考慮される。加えて、エスケープキー、音量制御キー、スクロールキー、電源スイッチ、またはユーザプログラム可能なキーとして機能するように、他のキーが通信デバイス１００の側面に沿って配置されてもよく、同様に、それに応じてプログラムされてもよい。
【００１１】
図１Ａおよび１Ｂから理解され得るように、通信デバイス１００は、ユーザ入力を構成し、通信デバイス１００のテキスト入力に適応するために好適であるキーボード１３２より上側に位置する点灯したディスプレイ１２２を備える。通信デバイス１００の前面１７０は、ナビゲーション列７０を有する。示されるように、通信デバイス１００は、「キャンディバー」設計としても知られている単体構造である。
【００１２】
一般的には、プッシュボタンまたはプッシュパッドの性質のキーは、データ入力デバイスとして十分機能するが、画面カーソルに対するナビゲーション制御を達成するために使用されなければならないときには、操作者に問題を提示する。この問題を解決するために、本通信デバイス１００は、カーソルナビゲーションツール１２７としての役割を果たし、また、通信デバイス１００の前面１７０上で外部に位置する補助入力を含んでもよい。その前面位置は、ツールがキーボード１３２のキーのように容易に親指で作動可能となることを可能にする。実施形態は、実質的に任意の方向への２次元画面カーソル移動を指示するために利用することができ、ならびにトラックボール１２１がボタンのように押下されるとアクチュエータとしての役割を果たす、トラックボール１２１の形態のナビゲーションツール１２７を提供する。ナビゲーションツール１２７の配置は、キーボード１３２より上側、かつ表示画面１２２より下側であってもよく、ここでは、キーボード入力中の干渉を回避することができ、例えば、図１Ａおよび１Ｂに示されるように、使用中に表示画面１２２の操作者の視認を妨害しない。
【００１３】
図１Ａおよび１Ｂで図示されるように、通信デバイス１００は、メッセージを送受信するように構成されてもよい。通信デバイス１００は、いくつかの実施形態では、テキスト入力中に通信デバイス１００の操作者によって片手で保持されるように構成されてもよい本体１７１を含む。本体１７１の前面１７０上に位置し、その上でテキスト入力中に情報が操作者に表示されるディスプレイ１２２が含まれる。通信デバイス１００はまた、携帯電話の通話等の音声通信を送受信するように構成されてもよい。通信デバイス１００はまた、写真または画像と呼ぶことができる電子写真をユーザが撮影することを可能にするように、カメラ（図示せず）を含んでもよい。
【００１４】
さらに、通信デバイス１００は、図２に示されるような種々のプログラムの動作を可能にする構成要素を装備している。例示的実施形態では、フラッシュメモリ２２４は、オペレーティングシステム２５７、デバイスプログラム２５８、およびデータ用の記憶場所を提供することが可能となる。オペレーティングシステム２５７は、概して、同様にメモリ２２４に記憶され、プロセッサ２３８上で実行可能である他のプログラム２５８を管理するように構成される。オペレーティングシステム２５７は、所定のプログラム２５８インターフェースを通してプログラム２５８によって行われたサービスの要求を引き受ける。より具体的には、オペレーティングシステム２５７は、一般的には、複数のプログラム２５８がプロセッサ２３８上で実行される順番、および各プログラム２５８に割り当てられる実行時間を決定する、複数のプログラム３５８間でのメモリ２２４の共有を管理する、他のデバイスサブシステム２４２への入力およびそこからの出力を取り扱う等を行う。加えて、操作者は、一般的には、通常、キーボード１３２および表示画面１２２を含む、ユーザインターフェースを通して、オペレーティングシステム２５７と直接相互作用することができる。例示的実施形態では、オペレーティングシステム２５７は、フラッシュメモリ２２４に記憶されるが、他の実施形態では、オペレーティングシステム２５７は、読み出し専用メモリ（ＲＯＭ）または同様の記憶要素（図示せず）に記憶される。当業者であれば理解するように、オペレーティングシステム２５７、デバイスプログラム２５８、またはその部品は、ＲＡＭ２２６または他の不揮発性メモリにロードされてもよい。
【００１５】
図２に示されるように、アイテム管理アプリケーション２５９は、フラッシュメモリ２２４上に記憶される。アイテム管理アプリケーション２５９は、アイテムおよび関連コメントの送受信を管理することができる。アイテムは、デジタル写真（写真と呼ぶことができる）、カレンダー、リスト、連絡先、または会話となり得る。コメントは、アイテムへの応答またはアイテムへ変更となり得る。アイテムおよび関連コメントは、グループと結び付けられるか、または関連付けられる。アイテムおよび関連コメントはまた、音声注釈または音声メールメッセージを備えることもできる。グループは、メンバーを備えることができる。具体的には、各グループは、グループが生成される時、メンバーがグループに追加される時、またはそれらの組み合わせで選択される、２人以上のメンバーを備える。アイテムをグループに関連付けることによって、メンバーがグループの各メンバーを識別する必要なく、アイテムおよび任意のコメントをグループのメンバーに提供することができる。例えば、メンバーがグループフォルダの中にある時、メンバーは、写真（アイテム）を撮影し、写真をグループに、例えば、グループの各メンバーに提供することができる。写真を受信するメンバーは、写真についてコメントすることができ、コメントがグループに提供される。言い換えれば、受信者は、写真を事実上「めくり」、写真に関してコメントすることができ、１つまたは複数のコメントがグループに提供される。アイテムがグループと関連付けられるため、メンバーがグループまたはメンバーを識別する必要なく、コメントをグループのメンバーに提供することができる。同様に、アイテムをグループに送信したメンバー、例えば、アイテムの発信者が、元の投稿の件名に題名を入力したときに、題名がすでに記入されているため、題名が識別される必要はない。
【００１６】
アイテム管理アプリケーション２５９は、オペレーティングシステム２５７に組み込まれるか、または別のプログラムに組み込まれる独立型アプリケーションとなり得る。とりわけ、アイテム、関連コメント、またはそれらの任意の組み合わせは、プッシュメッセージとなり得て、例えば、アイテムおよびコメントが、グループの各メンバーと関連付けられる通信デバイス１００上にプッシュ配信される。プッシュメッセージを受信すると、通信デバイス１００は、アイテムまたは関連コメントを表示することができる。例えば、グループのメンバーと関連付けられる通信デバイス１００と関連付けられるアイテム管理アプリケーション２５９は、メンバーがパスワードを入力するとすぐに、またはその後に、アイテムまたは関連コメントを表示することができる。プッシュメッセージは、ポーリングが必要とされないので、リアルタイムまたはほぼリアルタイムの会話を可能にする。そのような実施形態では、プッシュメッセージはサーバに記憶されない。メッセージはマルチキャストとして送信される。そのような実施形態では、発信通信デバイス１００は、ネットワーク操作センター、例えば、通信サブシステム２１１にメッセージを一度送信し、通信サブシステムは、次に、各特定受信者にメッセージを提供する。結果として、グループ通信は、２つの通信デバイス１００間の通信と同様の効率を有する。１つ以上の他の実施形態では、アイテムまたは関連コメントは、Ｅメールメッセージ、ＳＭＳメッセージ、ＭＭＳメッセージ、ＩＭ（インスタントメッセージング）メッセージ、例えば、サーバにメッセージを記憶するシステムとなり得る。別の実施形態では、個人識別番号（ＰＩＮ）メッセージを使用することができる。これに関連して使用されるように、ＰＩＮは、概して、通信デバイス１００を一意的に識別する番号を指す。他の実施形態では、任意の他のメッセージが、通信デバイス１００上でアイテムまたは関連コメントを送信し、表示することができる。受信されたメッセージは、現在既知であるか、または後発技術に従って後に開発されてもよい他の種類のメッセージを備えてもよい。
【００１７】
通信デバイス１００が無線通信ネットワーク２１９内の二方向通信に使用可能であるときに、移動通信サービスからの信号を送受信することができる。二方向通信に使用可能な通信システムの実施例は、汎用パケット無線サービス（Ｇｅｎｅｒａｌ  Ｐａｃｋｅｔ  Ｒａｄｉｏ  Ｓｅｒｖｉｃｅ／ＧＰＲＳ）ネットワーク、汎用移動電気通信サービス（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ／ＵＭＴＳ）ネットワーク、グローバル進化型高速データ（Ｅｎｈａｎｃｅｄ  Ｄａｔａ  ｆｏｒ  Ｇｌｏｂａｌ  Ｅｖｏｌｕｔｉｏｎ／ＥＤＧＥ）ネットワーク、符号分割多重アクセス（Ｃｏｄｅ  Ｄｉｖｉｓｉｏｎ  Ｍｕｌｔｉｐｌｅ  Ａｃｃｅｓｓ／ＣＤＭＡ）ネットワーク、高速パケットアクセス（Ｈｉｇｈ−Ｓｐｅｅｄ  Ｐａｃｋｅｔ  Ａｃｃｅｓｓ／ＨＳＰＡ）ネットワーク、汎用移動電気通信サービス時分割二重（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ  Ｔｉｍｅ  Ｄｉｖｉｓｉｏｎ  Ｄｕｐｌｅｘｉｎｇ／ＵＭＴＳ−ＴＤＤ）、ウルトラモバイルブロードバンド（Ｕｌｔｒａ  Ｍｏｂｉｌｅ  Ｂｒｏａｄｂａｎｄ／ＵＭＢ）ネットワーク、マイクロ波アクセス用の世界的相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ／ＷｉＭＡＸ）、ならびにデータおよび音声、またはデータあるいは音声だけに使用することができる他のネットワークを含むが、それらに限定されない。上記で記載されるシステムについて、通信デバイス１００は、通信デバイス１００が通信ネットワーク２１９からの信号を伝送および受信することを可能にするために、一意の識別子を必要としてもよい。他のシステムは、そのような識別情報を必要としなくてもよい。ＧＰＲＳ、ＵＭＴＳ、およびＥＤＧＥは、通信ネットワーク２１９との通信を可能にするために、加入者識別モジュール（ＳＩＭ）を使用する。同様に、ほとんどのＣＤＭＡシステムは、ＣＤＭＡネットワークと通信するために、可撤性識別モジュール（ＲＵＩＭ）を使用する。ＲＵＩＭおよびＳＩＭカードを、複数の異なる通信デバイス１００で使用することができる。通信デバイス１００は、ＳＩＭ／ＲＵＩＭカードなしでいくつかの特徴を操作することが可能であってもよいが、ネットワーク２１９と通信できなくなる。通信デバイス１００内に位置するＳＩＭ／ＲＵＩＭインターフェース２４４は、ＳＩＭ／ＲＵＩＭカード（図示せず）の除去または挿入を可能にする。ＳＩＭ／ＲＵＩＭカードは、メモリを特色とし、主要構成２５１、ならびに識別および加入者関連情報等の他の情報２５３を保持する。適正に使用可能な通信デバイス１００を用いて、通信デバイス１００と通信ネットワーク２１９との間の二方向通信が可能である。
【００１８】
通信デバイス１００が上記で説明されるように使用可能である場合、または通信ネットワーク２１９がそのような使用可能性を必要としない場合、二方向通信対応の通信デバイス１００は、通信ネットワーク２１９からの情報の伝送および受信の両方を行うことができる。通信の転送は、通信デバイス１００から、または通信デバイス１００へとなり得る。通信ネットワーク２１９と通信するために、現在説明されている例示的実施形態の通信デバイス１００は、通信ネットワーク２１９に信号を伝送するための一体または内部アンテナ２１８を装備している。同様に、現在説明されている例示的実施形態の通信デバイス１００は、通信ネットワーク２１９から通信を受信するための別のアンテナ２１６を装備している。別の例示的実施形態のこれらのアンテナ（２１６、２１８）は、単一のアンテナ（図示せず）に合体される。当業者であれば理解するように、別の実施形態の１つまたは複数のアンテナ（２１６、２１８）は、通信デバイス１００上で外部に載置される。
【００１９】
二方向通信のために装備されると、通信デバイス１００は、通信サブシステム２１１を特色とする。当技術分野で理解されるように、この通信サブシステム２１１は、通信デバイス１００の動作上の必要性を支援することができるように修正される。サブシステム２１１は、上記で説明されるような１つまたは複数の関連アンテナ（２１６、２１８）を含む、伝送機２１４および受信機２１２と、局部発振器（ＬＯ）２１３と、現在説明されている例示的実施形態がデジタル信号プロセッサ（ＤＳＰ）２２０である、処理モジュール２２０とを含む。
【００２０】
無線ネットワーク２１９との通信デバイス１００による通信は、無線ネットワーク２１９および通信デバイス１００の両方が伝送、受信、および処理することが可能となる、任意の種類の通信となり得ることが検討される。一般に、これらは、音声およびデータとして分類することができる。音声通信は、概して、可聴音の信号が通信ネットワーク２１９を通して通信デバイス１００によって伝送される通信を指す。データとは、概して、無線ネットワーク２１９の制約内で通信デバイス１００が行うことが可能である全ての他の種類の通信を指す。
【００２１】
そのようなデータに依存し得るデバイスプログラム例は、Ｅメール、連絡先、およびカレンダーを含む。各々のそのようなプログラムについて、プログラム上の家庭用バージョンとの同期化が、長期および短期有用性のいずれか一方または両方に望ましくなり得る。実施例として、Ｅメールはしばしば、時間的制約があるので、実質的にリアルタイム（またはほぼリアルタイム）の同期化が所望されてもよい。他方で、連絡先は、通常、不便なく少ない頻度で更新することができる。したがって、通信デバイス１００の有用性は、通信システム内で接続可能であるとき、ならびに音声、テキストメッセージング、および他のデータ転送が適応されるネットワーク２１９内で、無線で接続可能であるときに強化される。
【００２２】
キーボード１３２は、作動可能なボタン等の物理的性質となり得る複数のキーを含み、または、一般的には、表示画面１２２上の物理キーの仮想表現（本明細書では「仮想キー」と呼ばれる）によって構成される、ソフトウェア性質となり得る。また、２種類のキーの組み合わせとしてユーザ入力を提供できることも検討される。複数のキーのうちの各キーは、文字、コマンド、または機能の入力となり得る、少なくとも１つの作動可能な動作を有する。この文脈で、「文字」は、アルファベット文字、言語記号、数字、句読点、記号、アイコン、絵、および空欄さえも例示的に含むとことが検討される。
【００２３】
仮想キーの場合、各々のキーの表示は、一実施形態では、文字を生成するか、あるいは示されたコマンドまたは機能を起動するように、例えば、スタイラス、指、または他のポインタで表示画面１２２に触れることによって使用可能となる表示画面１２２上に示される。接触を検出することが可能な表示画面１２２のいくつかの実施例は、抵抗性、容量性、投影容量性、赤外線、および表面音響波（ＳＡＷ）タッチスクリーンを含む。
【００２４】
物理および仮想キーは、当業者によって理解されるような多くの異なる方法で組み合わせることができる。一実施形態では、物理および仮想キーは、通信デバイス１００の特定のプログラムまたは特徴に対する複数の使用可能キーが、物理キーと同じ構成で表示画面１２２上に示されるように、組み合わせられる。この構成を使用して、操作者は、表示画面１２２上に示されているものに対応する適切な物理キーを選択することができる。したがって、表示画面１２２に触れるよりもむしろ、表示画面１２２上の対応する位置に表示された文字、コマンド、または機能に対応する物理キーを押下することによって、所望の文字、コマンド、または機能が得られる。
【００２５】
少なくとも１つの実施形態では、Ｅメールメッセージを送受信するように構成される通信デバイス１００は、操作者またはユーザによってテキスト入力配向に保持されるように構成される本体１７１を備える（例えば、図１Ａおよび１Ｂ参照）。通信デバイス１００の本体１７１は、表示画面１２２が位置し、その上でテキスト入力配向における通信デバイス１００の操作者に情報が表示される前面１７０を有する。通信デバイス１００はさらに、通信デバイス１００上に位置するキーボード１３２およびトラックボール１２１等の、通信デバイス１００上でプログラムを実行するように、およびユーザ入力から操作者コマンドを受信するように構成されるマイクロプロセッサを備える。
【００２６】
上記の説明は、概して、手持ち式通信デバイスと関連付けられるシステムおよび構成要素を説明するが、通信デバイス１００は、ＰＤＡ、ラップトップコンピュータ、デスクトップコンピュータ、サーバ、または他の通信デバイス等の別の通信デバイスとなり得る。これらの実施形態では、所望の通信デバイス１００を提供するために、上記のシステムの異なる構成要素が省略される場合がある。加えて、通信デバイス１００が所望の様式で機能することを可能にするために、上記で説明されていない他の構成要素が必要とされてもよい。上記の説明は、一般的な構成要素のみを提供し、システムが機能することを可能にするために、付加的な構成要素が必要とされてもよい。これらのシステムおよび構成要素は、当業者によって理解されるであろう。
【００２７】
図２を再び参照すると、通信デバイス１００は、アイテム、関連コメント、ならびにアイテムおよび関連コメントと関連付けられるグループを管理する１つ以上のアイテム管理アプリケーション２５９を含むことができる。グループは、連絡先、ユーザ、またはエンティティ等の一式のメンバーを含むことができる。例えば、グループは、家族、同僚、読書クラブのメンバー、スポーツチームの選手、スポーツチームの選手の親、およびゴルフのフォーサムのメンバーを備えることができる。メンバーは、複数のグループのメンバーとなり得る。一般的には、グループは、大抵、固定した一式のメンバーを備える。しかしながら、グループのメンバーは変化してもよく、例えば、グループの創始者（グループを形成したメンバー）が、グループのメンバーを追加し、差し引き、または変更してもよい。グループが一式のメンバーを備えるため、グループは、事前選択されたグループ、例えば、複数の既知のユーザを有するグループと呼ぶことができる。グループは、メッセージ、アイテム、またはコメント等のデータを共有することができる。例えば、グループは、デジタル写真、カレンダー、リスト、音声メッセージ、ならびにアイテムへのコメントまたは変更等のアイテムを共有することができる。
【００２８】
図３を参照すると、例示的実施形態による、グループのメンバー間の関係を示すブロック図が図示されている。示されるように、データ３０２は、グループ３００の全てのメンバー間で共有される。具体的には、データ３０２は、共有され、例えば、通信デバイス１００ａ−ｆを介してグループの１人１人のメンバーに送受信される。例えば、通信デバイス１００ａのユーザが、アイテム、例えば、電子写真を生成し、アイテムをグループ３００に送信する場合、アイテムは、グループ３００のメンバー、例えば、通信デバイス１００ｂ−ｆに提供される。通信デバイス１００ｂのユーザがアイテムについてコメントする場合には、コメントは、グループ３００の他のメンバー、例えば、通信デバイス１００ａおよび１００ｃ−ｆに提供される。
【００２９】
図３で図示されるように、データは、グループサーバを必要とせずに、個々の通信デバイス１００の間で伝送される。デバイス識別子を使用して、各通信デバイス１００は、他の通信デバイス１００と直接通信することが可能である。データの伝送は、セルラーネットワーク、Ｗｉ−Ｆｉネットワーク、またはデータのピアツーピア処理を可能にする他の通信システム上となり得る。サーバまたは他の同様のインフラストラクチャを通信ネットワーク上で実装することができるが、少なくとも１つの実施形態では、１つまたは複数の特殊ホストサーバは必要とされない。例えば、無線キャリアの場合、個人識別番号（ＰＩＮ）、ＳＩＭカード番号、ＩＭＥＩ、または同等物等のデバイス識別子を使用して、グループのメンバーを識別することができる。個々の通信デバイス１００間のデータの通信は、通信ネットワークが認識する上記のデバイス識別子のうちの１つを使用することができ、所望の通信ネットワークのみを使用して、通信デバイス１００間でデータを送信する。他の実施形態では、これらのデバイス識別子を認識し、処理する、特殊アーキテクチャも実装することができる。したがって、データの通信は、グループ３００のメンバー間でのメッセージ、写真、および他のデータの取り扱いのために、特殊サーバに依存しないため、ピアツーピアおよびサーバレスと表すことができる。
【００３０】
図４を参照すると、例示的実施形態による、グループアプレットを示すディスプレイのスクリーンショットが図示されている。ディスプレイ４００は、通信デバイス１００のユーザがメンバーであるグループの一覧を含むことができる。示されるように、ユーザは、２人の他のメンバーを有する「オーサムチーム」４０２、１人の他のメンバーを有する「会社」グループ４０４、および１人の他のメンバーを有する「家族」グループ４０６といった３つのグループのメンバーである。この実施例では、メンバーの数は通信デバイス１００のメンバーを含まない。グループアプレットは、通信デバイス１００のメンバーが新しいグループを作成することを可能にする。いくつかの手段を使用して、グループを作成することができる。例えば、グループ創始者が、「新しいグループを作成する」メニューオプション４０８をクリックし、グループ名を入力し、グループ種類（例えば、友達、家族、または仕事）を選択することができる。グループ種類は、グループと関連付けられた通信デバイスがどのように使用されるかをグループ創始者が制御することを可能にすることができ、例えば、各メンバーは、設定された量の通話時間のみを許容される。いったんメンバーがグループを作成すると、メンバーは、グループに参加するようにメンバーを招待することができる。例えば、メンバーは、例えば、ＥメールメッセージまたはＰＩＮメッセージを介して、グループの潜在的メンバーに招待状を送信することができる。別の実施例では、招待されたグループメンバーは、バーコードを有するメッセージを受信することができ、走査（またはバーコードの写真を撮影）してバーコードと関連付けられたグループに参加するために、「バーコードを走査することによってグループに参加する」メニューオプション４１０を使用することができる。当業者であれば理解するように、グループを形成する他の手段を使用することができる。
【００３１】
図５を参照すると、例示的実施形態による、家族グループ用の位置アプレットのスクリーンショットが図示されている。位置アプレットのスクリーンショット５００は、グループアイコン５０２と、グループ名５０４と、グローバルアプレット５０６ａ−ｇと、メンバー識別子５０８と、メンバーの位置５１０と、グループメンバーの一覧５１２と、メンバーアプレット５１４ａ、５１４ｂと、新しいメッセージアイコン５１６とを含むことができる。グループアイコン５０２は、グループを表すアイコンとなり得る。グループ名５０４は、他のグループからメンバーを識別することができる。グローバルアプレット５０６−ａ−ｇは、グループ、例えば、家族グループのメンバーによって使用することができるアプレットを表すことができる。当業者によって理解されるように、より多い、より少ない、または異なるグループアプレット５０６を表示することができる。
【００３２】
グローバルアプレット５０６は、概観アプレット５０６ａと、位置アプレット５０６ｂと、リストアプレット５０６ｃと、会話アプレット５０６ｄと、写真アプレット５０６ｅと、カレンダーアプレット５０６ｆと、連絡先アプレット５０６ｇを含むことができる。概観アプレット５０６ａは、ユーザがメッセージを作成すること、音声注釈を録音すること、メッセージを再検討すること、またはそれらの任意の組み合わせを可能にすることができる。概観アプレット５０６ａについて以下で論議する。位置アプレット５０６ｂは、グループの１人以上のメンバーの位置を提供することができる。例えば、通信デバイス１００のユーザが位置アプレット５０６ｂを選択した場合、通信デバイス１００は、図６に示されるように、グループの中の１人以上のメンバーの位置を示す地図を表示することができる。位置アプレット５０６ｂを使用して、メンバーは位置を更新することができる。グローバルリストアプレット５０６ｃは、グループに対するリストを作成し、編集し、改正し、表示することができる。例えば、通信デバイス１００のユーザがリストアプレット５０６ｃを選択した場合、通信デバイス１００は、図７に示されるように、リスト（買物リスト、実行することのリストまたは買物リスト等）を表示することができる。会話アプレット５０６ｄは、グループメンバー間の１つ以上の会話の表示を引き起こすことができる。例えば、通信デバイス１００のユーザが会話アプレット５０６ｄを選択した場合、通信デバイス１００は、図８に示されるように、グループ間の１つ以上の会話のリストを表示することができる。会話は、チャットまたはチャットセッションとなり得る。会話アプレット５０６ｄを使用して、メンバーが１つ以上のコメントを入力し、投稿することができる。写真アプレット５０６ｅは、１つ以上の電子写真または画像の表示を生じさせ、追加し、投稿し、またはコメントすることができる。例えば、通信デバイス１００のユーザが写真アプレット５０６ｅを選択した場合、通信デバイス１００は、図９に示されるように、１つ以上の写真または写真のサムネイルを表示することができる。カレンダーアプレット５０６ｆは、グループに対するカレンダーの表示を引き起こすことができ、予定されたイベントを含むことができる。例えば、通信デバイス１００のユーザがカレンダーアプレット５０６ｆを選択した場合、通信デバイス１００は、図１０に示されるように、カレンダーを表示することができる。カレンダーアプレット５０６ｆを使用して、ユーザが１つ以上のカレンダーイベントを追加、編集、改正、閲覧、または削除することができる。連絡先アプレット５０６ｇは、グループに対する連絡先のリストの表示を引き起こすことができる。例えば、通信デバイス１００のユーザが連絡先アプレット５０６ｇを選択した場合、通信デバイス１００は、図１３に示されるように、連絡先のリストを表示することができる。連絡先アプレット５０６ｇを使用して、ユーザがアドレス帳からの１つの異常の連絡先を追加、改正、または削除することができる。
【００３３】
メンバー識別子５１０は、通信デバイス１００と関連付けられたメンバー、例えば、Ｎａｔを識別することができる。メンバー識別子５１０は、名前、写真、メンバーを識別する別の識別子、またはそれらの任意の組み合わせとなり得る。メンバー識別子５１０は、メンバーの位置、例えば、自宅を含むことができる。メンバーは、自分の場所、例えば、職場またはジムを変更することができる。グループメンバー５１２の一覧は、そのグループの他のメンバーを一覧にし、他のメンバーの位置、例えば、自宅にいるＨｅｒｂを含むことができる。メンバーアプレット５１４ａ、５１４ｂは、グループアプレット、例えば、グループが共有するアプレットを識別することができる。この実施例では、家族グループがリスト５１４ａおよび会話５１４ｂを共有する。新しいデータアイコン５１６は、新しいデータが受信されたという指示を提供することができる。示されるように、新しいデータがリストアプレット５１４ａおよび会話アプレット５１４ｂの中で受信された。新しいアイテムまたはコメントを示すように、他のアイコンを図示することができる。例えば、リストアイコンが、新しいリストまたはリストへの変更が受信されたことを示すことができる。別の実施例では、写真アイコンが、新しい写真が受信されたことを示すことができる。アイコン５１８、例えば、丸で囲んだ星印が、グローバルアプレット５０６ａ−ｇが新しいデータ、例えば、アイテムまたはコメントを含有するという視覚指示を提供することができる。
【００３４】
図６を参照すると、例示的実施形態による、位置アプレットの地図のスクリーンショットが図示されている。示されるように、ディスプレイ６００は、グループアイコン６０２と、グループ名６０４と、アプレット識別子６０６と、地図６０８と、現在の位置６１０と、他の関心の位置または地点６１２ａ−ｃと、メンバー６１４ａ、ｂと、時間スライダ６１６とを含むことができる。グループアイコン６０２は、グループを表すアイコンとなり得る。グループ名６０４は、他のグループからグループを識別することができる。グループアプレット６０６は、アプレット、例えば、位置アプレットを識別することができる。地図６０８は、グループのメンバー、例えば、Ｎａｔの現在の位置６１０を示すことができる。地図６０８はまた、メンバーと関連付けられた他の位置、例えば、位置１、２、および３、ならびに位置の対応する名前６１２ａ−ｃを示すこともできる。具体的には、地図６０８は、Ｎａｔ６１４ｂと関連付けられた関心の位置または地点、例えば、自宅位置６１２ａ、職場位置６１２ｂ、およびジム位置６１２ｃを示すことができる。ユーザがグループの別のメンバー、例えば、Ｈｅｒｂ６１４ａをクリックした場合、地図は、Ｈｅｒｂと関連付けられた同様の情報を示すことができる。場所の数および場所の対応する名前は、当業者であれば理解するように、変化し得る。加えて、ユーザは、特定の時のメンバーの位置を示すために、時間スライダ６１６を使用することができる。例えば、ユーザは、時間スライダを異なる時間に摺動またはスクロールして、メンバーの位置を示すことができる。少なくとも１つの実施形態では、ユーザと関連付けられた通信デバイス１００の中のＧＰＳユニットを使用して、メンバーの位置を決定することができる。代替実施形態では、メンバーの対応する通信デバイス１００を介してメンバーの位置を決定するために、他の位置決めシステムを使用することができる。位置アプレットは、グループの各メンバーの位置を示す、地図６０８を表示することができる。位置アプレットは、メンバーのルート、例えば、過去の位置を示す、地図６０８を表示することができる。通信デバイス１００を使用して、メンバーが位置の特徴を無効にすることができ、それにより、位置アプレットがメンバーの位置を決定し、示すことを可能にしない。
【００３５】
図７を参照すると、例示的実施形態による、リストアプレットのスクリーンショットが図示されている。示されるように、ディスプレイ７００は、グループアイコン７０２と、グループ名７０４と、カテゴリフィールド７０６と、新しいアイテムフィールド７０８と、ヘッダ７１０ａ−ｃと、リストアイテム７１２ａ−ｆと、ボックス７１４ａ−ｆとを含むことができる。グループアイコン７０２は、グループを表すアイコンとなり得る。グループ名７０４は、他のグループからグループ、例えば、食料品グループを識別することができる。通信デバイス１００のユーザが、リストに追加される新しいかまたは既存のカテゴリ７１０を入力することを可能にするように、カテゴリフィールド７０６を表示することができる。例えば、示されるように、ユーザは、買物リスト用の新しいカテゴリとして「調製食料品」を追加することができる。代替として、ユーザは、既存のカテゴリ、例えば、乳製品７１０ａ、日用品７１０ｂ、または農産物７１０ｃを入力して、そのカテゴリの下で新しいアイテムを追加することができる。通信デバイス１００のユーザが、リストに追加される新しいアイテム７１２、例えば、削ったハムを入力することを可能にするように、新しいアイテムフィールド７０８を表示することができる。付加的な情報、例えば、数量またはブランドも入力することができる。示されるように、リストは、リストの中のアイテムが入手されているかどうかという指示を提供するように、ボックス７１４ａ−ｆを含み、例えば、通信デバイス１００のナビゲーションツール１２７を使用してアイテムを選択することによって、アイテムが入手されていることを示すように、ボックス７１４にチェックを入れることができる。示されるように、ゴミ袋のボックス７１４ｄの中のチェックは、個人がゴミ袋を入手したことを示す。加えて、優先順位を示すように、アイテム７１２ａ−ｆ、ボックス７１４ａ−ｆ、またはそれらの任意の組み合わせを表示することができる。例えば、牛乳を入手することが重要であることを示すように、牛乳の入力７１２ｃまたは関連ボックス７１４ｃをハイライトまたは着色することができる。別の実施形態では、リストアプレットは、アイテムが必要とされる時を示すように、時間が追加されることを可能にすることができる。例えば、パーティの２日前にパーティ用のソーダを購入することができるが、氷はパーティの当日に購入される必要がある。別の実施形態では、リストアプレットは、個人がリストの中のアイテムに割り当てられることを可能にすることができる。例えば、Ｈｅｒｂは牛乳を購入するように割り当てることができ、Ｎａｔはバナナを購入するように割り当てることができる。
【００３６】
リストが改正される場合、リストと関連付けられるグループの全てのメンバーには、改正されたリストを提供することができる。言い換えれば、グループのメンバーがリスト入力を追加、修正、または削除する場合、グループのメンバーの全てが改正されたリストを受信することができる。例えば、ＨｅｒｂおよびＮａｔという２人のメンバーを有する家族グループでは、Ｈｅｒｂが、食料品リストに削ったハムを追加することができ、Ｎａｔと関連付けられた通信デバイス１００が、削ったハムの入力を含む改正されたリストを受信する。グループのメンバーが、アイテム、例えば、リストに関するコメントを追加する場合、グループのメンバーの全員がコメントならびに付加的なコメントを受信する。例えば、同じ家族グループについて、Ｎａｔが、アイテム、例えば、リストと関連付けられたグループに、コメント、例えば、「ＯＪが欲しいか？」を送信する場合、Ｈｅｒｂと関連付けられた通信デバイス１００が、リストと関連付けられるグループと関連付けられるため、コメントを受信する。同様に、Ｈｅｒｂが「はい」と言うコメントで応答する場合、Ｎａｔと関連付けられた通信デバイス１００がそのコメントを受信する。アイテム、例えば、リストが、グループと関連付けられるため、メンバーの名前、題名、またはそれらの任意の組み合わせを入力する必要なく、コメントがグループの他のメンバーに送信される。リストは、グローバルリスト、例えば、リストと関連付けられた３人以上のメンバーを有するリスト、またはプライベートリスト、例えば、リストと関連付けられた２人だけのメンバーを有するリストとなり得る。
【００３７】
図８を参照すると、例示的実施形態による、会話のスクリーンショットが図示されている。示されるように、ディスプレイ８００は、グループアイコン８０２と、会話の題名８０４と、日付スタンプ８０６と、各入力８１４に対するタイムスタンプ８０８と、作者識別子８１０と、コメント８１２と、コメントフィールド８１６とを含むことができる。グループアイコン８０２は、グループを表すアイコンとなり得る。会話名８０４は、会話８００、例えば、夕食についての会話を識別することができる。日付スタンプ８０６は、会話８００の日付、例えば、「２００８年１２月２日、火曜日」を識別する。各入力８１４は、入力８１４が送信された時を識別するためのタイムスタンプ８０８と、誰が入力を送信したかを識別する作者識別子８１０と、コメント８１２とを含むことができる。第１の入力８１４について、Ｎａｔは、午後１０時３２分に、「あなた、何時に夕食を食べに帰宅する？」というコメントを送信した。Ｈｅｒｂが午後１０時３２分に応答し、Ｎａｔが午後１０時３５分に応答し、Ｈｅｒｂが１０時３５分に応答した。コメントフィールド８１６は、ユーザ、例えば、メンバーが、グループの他のメンバーに提供されるコメントを打ち込むことを可能にする。例えば、コメントの最後にキャリッジリターンを打つことによって、コメントがグループの他のメンバーに提供される。メンバーは、誰が受信者であるかを入力する必要も、題名を入力する必要もない。アイテム管理アプリケーション２５９がアイテムおよびコメントをグループに結び付けるため、メンバーは情報を入力する必要がない。
【００３８】
図９を参照すると、例示的実施形態による、写真ホーム画面のスクリーンショットが図示されている。示されるように、写真ホームまたはメイン画面９００は、グループアイコン９０２、グループ名９０４、グループアプレット９０６、１つ以上の写真９０８ａ−ｄ、ヘッダ９１４、写真を追加するアイコン９１６、および既存の写真アイコン９１８を表示することができる。各写真９０８は、サムネイル写真９０８となり得て、タイムスタンプ９１０と、メンバー識別子９１２とを含むことができる。グループアイコン９０２は、グループを表すアイコンとなり得る。グループ名９０４は、他のグループからグループ、例えば、家族を識別することができる。グループアプレット９０６は、表示されているグループアプレット、例えば、写真を識別することができる。タイムスタンプは、写真が撮影された日付および時間を含むことができる。示されるように、第１の写真９０８ａは、１０月１７日金曜日、午後４時２８分に撮影された。メンバー識別子９１２は、写真９０８をグループに投稿したメンバーを識別することができる。メンバー識別子９１２は、名前、写真、メンバーを識別する別の識別子、またはそれらの任意の組み合わせとなり得る。ヘッダ９１４は、写真９０８ａ−ｄについての参照、例えば、それらがアップロードされた時、「１週間前」を提供することができる。写真を追加するアイコン９１６は、起動されると、通信デバイス１００を使用して、メンバーが新しい写真を撮影することを可能にすることができ、次いで、それをグループに送信することができる。この特徴を以下でより詳細に説明する。既存の写真を選択するアイコン９１８は、起動されると、グループのメンバーが既存の写真を選択し、選択された写真をグループに送信することを可能にすることができる。例えば、メンバー（または通信デバイス１００のユーザ）が通信デバイス１００上に写真を記憶またはロードするか、あるいは通信デバイス１００を介して写真にアクセスする場合、メンバーは、写真をグループに送信することができる。この特徴を以下でより詳細に説明する。
【００３９】
図１０を参照すると、例示的実施形態による、フォトビューアのスクリーンショットが図示されている。示されるように、フォトビューア１０００は、写真１００２と、メンバー識別子１００４と、キャプション１００６と、ヘッダ１００８と、お気に入り領域１０１０と、１つ以上の写真のサムネイル１０１２とを含むことができる。フォトビューア１０００はまた、写真１００２が撮影された時間を識別するように、タイムスタンプ（図示せず）を含むこともできる。同様に、写真１００２が撮影された日付を識別する日付スタンプも、含むことができるか、またはタイムスタンプの代わりとなり得る。メンバー識別子１００４は、撮影者または写真１００２をグループに投稿したメンバーを識別することができる。メンバー識別子１００４は、名前、写真、メンバーを識別する別の識別子、またはそれらの任意の組み合わせとなり得る。キャプション１００６は、グループのメンバーが写真１００２に追加したテキストとなり得る。ヘッダ１００８は、写真１００２についての参照、例えば、「１週間前」を提供することができる。お気に入り領域１０１０は、写真１００２がメンバーによってお気に入りとしてタグ付けされているかどうか、音声コメントが写真１００２と関連付けられているかどうか、コメントが写真１００２と関連付けられているかどうか、またはそれらの任意の組み合わせを識別する、１つ以上のアイコンを含むことができる。示されるように、メンバーが、ハートアイコンによって表されるお気に入りとして、この写真１００２をタグ付けしている。関連音声コメントを識別するために、マイクロホンアイコンを使用することができる。１つ以上の関連コメントを識別するために、吹き出しアイコンを使用することができる。これらの特徴または他の特徴を表すために、他のアイコンも使用することができる。通信デバイス１００のユーザが、フォトビューア１０００に表示される他の写真をスクロールし、選択することを可能にする、サムネイル１０１２を表示することができる。１つ以上の実施形態では、図１１に示されるように、選択された写真１１００を拡大し、オーバーレイ表示された情報を伴って、または伴わずに表示することができる。
【００４０】
図１２を参照すると、例示的実施形態による、カレンダーのスクリーンショットが図示されている。カレンダー１２００は、誕生日、会議、パーティ、およびスポーツイベント等の予定されたイベント、ならびに休日を含むことができる。示されるように、カレンダー１２００は、予定されたイベント、例えば、昼食、テキストの通読、スカッシュの試合、および会議のリストを提供することができる。カレンダー１２００は、グループ、例えば、家族グループと関連付けることができる。当業者であれば理解するように、カレンダー１２００は、他の既知の電子カレンダーと同様となり得る。例えば、カレンダー１２００は、異なる時間増分、例えば、毎年、毎月、毎日、毎時間、または他の既知の増分で表示することができる。カレンダーと関連付けられたグループのメンバーがカレンダーを変更する、例えば、イベントを追加する（例えば、誕生日をカレンダーに追加する）、イベントを改正する（例えば、イベントの開始時間を変更する）、またはイベントを削除する（例えば、キャンセルされた医者の予約を除去する）ときに、グループの各メンバーは、新しいカレンダーイベントを受信する、改正されたカレンダーイベントを受信する、変更を識別するメッセージを受信する、またはそれらの任意の組み合わせを受信することができる。カレンダーは、メンバーが関連付けられる各グループと関連付けることができる。１つ以上の実施形態では、メンバーが関連付けられる２つ以上のグループのカレンダーを、単一のカレンダーに合併することができる。そのような実施形態では、予定されたイベントが関連付けられるグループを識別するように、予定されたイベントを色分けすることができる。
【００４１】
図１３を参照すると、例示的実施形態による、アドレス帳のスクリーンショットが図示されている。アドレス帳１３００は、グループと関連づけることができる人々または実体の連絡先情報を含むことができる。示されるように、アドレス帳１３００は、９１１番緊急、お父さん、お母さん、隣人の家等の連絡先情報を含むことができる。アドレス帳１３００は、グループ、例えば、家族グループまたは職場グループと関連付けることができる。例えば、家族グループのアドレス帳１３００は、家族、友達、医者、歯科医、ベビーシッター、および隣人の連絡先情報を含むことができる。別の実施例では、職場グループのアドレス帳は、労働者、顧客、潜在的顧客、およびコピー修理工の連絡先情報を含むことができる。当業者であれば理解するように、アドレス帳１３００は、他の既知の電子アドレス帳と同様となり得る。アドレス帳１３００と関連付けられたグループのメンバーがアドレス帳１３００の中の入力を変更する、例えば、連絡先を追加する、イベントを改正する（例えば、連絡先情報を変更または補完する）、または連絡先を削除するときに、グループの各メンバーは、新しいアドレス帳を受信する、変更を識別するメッセージを受信する、またはそれらの任意の組み合わせを受信することができる。アドレス帳は、メンバーが関連付けられる各グループと関連付けることができる。１つ以上の実施形態では、メンバーが関連付けられる２つ以上のグループのアドレス帳を、単一のアドレス帳に合併することができる。そのような実施形態では、連絡先が関連付けられるグループを識別するように、連絡先を色分けすることができる。
【００４２】
図１４を参照すると、例示的実施形態による、アイテムおよび関連コメントを管理するための方法のフローチャートが図示されている。方法を実行するための種々の手段があるため、例示的な方法１４００は一例として提供される。１つ以上の実施形態では、方法１４００は、アイテム管理プログラム２５９によって行われる。方法１４００は、種々のシステムのうちの１つまたは組み合わせによって実行するか、またはそうでなければ実施することができる。以下で説明される方法１４００は、一例として、通信デバイス１００、ならびに図１Ａ、１Ｂ、および２に示された通信ネットワークを使用して実行することができ、これらの図の種々の要素が、例示的な方法１４００を説明する際に参照される。図１４００に示された各ブロックは、例示的な方法１４００で実行される１つ以上の過程、方法、またはサブルーチンを表す。例示的な方法１４００は、ブロック１４０２から始まることができる。
【００４３】
ブロック１４０２では、アイテム管理アプリケーションが通信デバイス上に提供される（例えば、インストールされ、実行される）。例えば、通信デバイス１００のユーザは、アイテム管理アプリケーション２５９をダウンロードすることができ、またはアイテム管理アプリケーション２５９をすでに通信デバイス１００上にインストールすることができる。いったんアイテム管理アプリケーション２５９がインストールされると、ユーザまたはメンバーが１つ以上のグループを作成し、１つ以上のグループに参加し、またはそれらの任意の組み合わせを行うとともに、アイテム管理アプリケーション２５９を実行することができる。通信デバイス１００上でアイテム管理アプリケーション２５９を実行した後、方法１４００はブロック１４０４に進むことができる。
【００４４】
ブロック１４０４では、グループを選択することができる。例えば、ナビゲーションツール１２７を使用して、メンバーが、グループ、例えば、家族または職場を表すアイコンを選択することができ、グループフォルダを開くことができる。グループを選択した後、方法はブロック１４０６に進むことができる。
【００４５】
ブロック１４０６では、アイテムをグループに提供することができる。例えば、通信デバイス１００を使用して、メンバーが、写真、カレンダー、リスト、連絡先リストを送信するか、または会話を開始することができる。一実施形態では、メンバーが写真を撮影し、写真をグループに送信することができる。別の実施形態では、メンバーが通信デバイス１００上に写真をロードし、次いで、写真をグループに送信することができる。メンバーがグループアプレットまたはフォルダの中にいるため、メンバーは、アイテムがグループと関連付けられ、グループのメンバーが誰であるかをシステムがすでに認識しているので、アイテムの受信者を識別する必要はない。メッセージを送信するメンバーは、件名フィールドにアイテムの説明を入力し、続けてメッセージを送信してもよい。アイテム、件名フィールドの中の説明、グループのメンバーのリスト（例えば、受信者）、およびアイテム識別子がパッケージ化され、アイテムを特定メンバーに転送する、ネットワーク運営センター、例えば、通信サブシステム２１１に送信される。１つ以上の実施形態では、アイテム識別子は、一意の識別子である。アイテム識別子は、アイテムの種類（例えば、写真、リスト、またはカレンダー）と、ミリ秒単位となり得る、アイテムが作成された時のタイムスタンプとを備えることができる。アイテム識別子は、アイテム、コメント、およびグループを結び付けるために使用される。アイテム、説明、およびアイテム識別子は、各特定メンバーと関連付けられた通信デバイス１００によって即時に受信することができる。アイテムを受信する各通信デバイス１００は、アイテム、説明、およびアイテム識別子を脱パッケージ化し、どのグループにアイテムが関連付けられているかを識別することができ、識別されたグループに対する新しいアイテムがあるという通知をメンバーに提供することができる。アイテムをグループに提供した後、方法はブロック１４０８に進むことができる。
【００４６】
ブロック１４０８では、コメントをグループに提供することができる。例えば、グループの１人以上のメンバーが、写真にコメントを打ち込むことができ、コメントはグループの残りのメンバーに提供される。アイテムがグループに関連付けられるため、メンバーはグループのメンバーを識別する必要も、件名を追加する必要もない。例えば、メンバーが、アイテム、例えば、写真を選択し、コメントフィールドの中で、コメントフィールドにコメントをタイプしてリターンを打つことができ、コメントはグループの残りのメンバーに送信される。例えば、コメントは、受信者のリストおよびアイテム識別子とともにパッケージ化される。パッケージは、最初のアイテムパッケージのように、ネットワーク運営センター、例えば、通信サブシステム２１１に送信することができる。次いで、パッケージは、各メンバー（例えば、受信者）と関連付けられた通信デバイス１００に転送され、そこでパッケージが脱パッケージ化され、識別されたグループと関連付けられたコメントが通信デバイス１００によって受信されたことを通知する通知を、メンバーに提供することができる。
【００４７】
図１５Ａを参照すると、例示的実施形態による、写真を撮影し、写真をグループに送信するための方法のフローチャートが図示されている。方法を実行するための種々の手段があるため、例示的な方法１５００は一例として提供される。１つ以上の実施形態では、方法１５００は、アイテム管理プログラム２５９によって行われる。方法１５００は、種々のシステムのうちの１つまたは組み合わせによって実行するか、またはそうでなければ実施することができる。以下で説明される方法１４００は、一例として、通信デバイス１００、ならびに図１Ａ、１Ｂ、および２に示された通信ネットワークを使用して実行することができ、これらの図の種々の要素が、例示的な方法１５００を説明する際に参照される。図１５Ａに示された各ブロックは、例示的な方法１５００で実行される１つ以上の過程、方法、またはサブルーチンを表す。例示的な方法１５００は、ブロック１５０２から始まることができる。
【００４８】
ブロック１５０２では、「写真」アプレットが開かれる。例えば、グループホーム画面、例えば、図１５Ｂに示された特許グループから、メンバーが、通信デバイス１００のナビゲーションツール１２７を使用して、「写真」アイコンをクリックすることによって「写真」アプレットを選択し、それが、写真ホーム画面、例えば、図９に示された写真ホーム画面９００を表示させる。１つ以上の実施形態では、メンバーが、対応するメニューオプションを選択するためにドロップダウンメニューを使用することができる。「写真」アプレットを開いた後、方法１５００はブロック１５０４に進むことができる。
【００４９】
ブロック１５０４では、「カメラで写真を投稿する」オプションが選択される。例えば、通信デバイス１００のナビゲーションツール１２７を使用して、メンバーが、例えば、図９に示されたスナップ写真アイコン９１４をクリックすることによって、「カメラで写真を投稿する」オプションを選択することができる。１つ以上の実施形態では、メンバーが、対応するメニューオプションを選択するためにドロップダウンメニューを使用することができる。「カメラで写真を投稿する」を選択した後、方法１５００はブロック１５０６に進むことができる。
【００５０】
ブロック１５０６では、写真を撮影するためにカメラが起動される。例えば、「カメラで写真を投稿する」の選択に応じて、通信デバイス１００は、カメラを起動して、メンバーが写真を撮影することを可能にすることができる。カメラを起動した後、方法１５００はブロック１５０８に進むことができる。
【００５１】
ブロック１５０８では、写真が撮影される。例えば、通信デバイス１００のカメラを使用して、メンバーが、写真、例えば、電子写真を撮影することができる。１つ以上の実施形態では、メンバーには、キャプションを写真に追加するオプションを提供することができる。例えば、図１５Ｃに示されるように、メンバーは、キャプション、例えば、「チームよ、行け！」を入力するように促される。例えば、通信デバイス１００のキーボードを使用して、メンバーが、写真と関連付けられるキャプションをタイプすることができる。１つ以上の実施形態では、デフォルトキャプションを写真と関連付けることができる。例えば、デフォルトキャプションは、写真が撮影された日付および時間等のタイムスタンプとなり得る。メンバーが写真を撮影した後、方法１５００はブロック１５１０に進むことができる。
【００５２】
ブロック１５１０では、写真がグループに投稿される。例えば、図１５Ｃに示されるように、ナビゲーションツール１２７を使用して、メンバーが「送信」オプションを選択することができ、写真は、ネットワークを介して、グループ、例えば、家族グループの中の各メンバーと関連付けられた通信デバイスに送信される。例えば、第１のメンバーと関連付けられた通信デバイス１００は、写真をグループの残りのメンバーに送信することができ、写真およびキャプションを、図１５Ｄに示されるように、グループのメンバーと関連付けられた通信デバイス１００上で表示することができる。写真がグループに投稿された後、方法１５００はブロック１５１２に進むことができる。
【００５３】
ブロック１５１２では、写真ホーム画面が表示される。例えば、通信デバイス１００は、写真ホーム画面を表示し、メンバーがそこから進むことを可能にすることができる。例えば、図９００に示された写真ホーム画面９００を表示することができ、それにより、メンバーがそこから進むことを可能にする。
【００５４】
図１６を参照すると、例示的実施形態による、写真をグループに送信するための方法のフローチャートが図示されている。方法を実行するための種々の手段があるため、例示的な方法１６００は一例として提供される。１つ以上の実施形態では、方法１６００は、アイテム管理プログラム２５９によって行われる。方法１６００は、種々のシステムのうちの１つまたは組み合わせによって実行するか、またはそうでなければ実施することができる。以下で説明される方法１６００は、一例として、通信デバイス１００、ならびに図１Ａ、１Ｂ、および２に示された通信ネットワークを使用して実行することができ、これらの図の種々の要素が、例示的な方法１６００を説明する際に参照される。図１６に示された各ブロックは、例示的な方法１６００で実行される１つ以上の過程、方法、またはサブルーチンを表す。例示的な方法１６００は、ブロック１６０２から始まってもよい。
【００５５】
ブロック１６０２では、「写真」アプレットが開かれる。例えば、グループホーム画面、例えば、図１５Ｂに示された特許グループから、メンバーが、通信デバイス１００のナビゲーションツール１２７を使用して、「写真」アイコンをクリックすることによって「写真」アプレットを選択し、それが、写真ホーム画面、例えば、図９に示された写真ホーム画面９００を表示させる。１つ以上の実施形態では、メンバーが、対応するメニューオプションを選択するためにドロップダウンメニューを使用することができる。「写真」アプレットを開いた後、方法１６００はブロック１６０４に進むことができる。
【００５６】
ブロック１６０４では、「ファイルから写真を投稿する」オプションが選択される。例えば、ナビゲーションツール１２７を使用して、メンバーが、例えば、図９に示された既存の写真アイコン９１６をクリックすることによって、「ファイルから写真を投稿する」オプションを選択することができる。１つ以上の実施形態では、メンバーが、対応するメニューオプションを選択するためにドロップダウンメニューを使用することができる。「ファイルから写真を投稿する」を選択した後、方法１６００はブロック１６０６に進むことができる。
【００５７】
ブロック１６０６では、ファイルマネージャが開かれる。例えば、「ファイルから写真を投稿する」の選択に応じて、通信デバイス１００は、メンバーがグループに送信するように選択することができる、１つ以上の写真を表示することができる。当業者であれば理解するように、ファイルマネージャは、既知のファイルマネージャと同様となり、それと同様に動作することができる。例えば、メンバーがグループに送信する写真を選択することを可能にするように、写真のサムネイルを表示することができる。別の実施例では、メンバーが、通信デバイス１００に通信可能に連結されたソースから写真をインポートすることができる。ファイルマネージャを開いた後、方法１６００はブロック１６０８に進むことができる。
【００５８】
ブロック１６０８では、写真が選択される。例えば、通信デバイス１００のナビゲーションツール１２７を使用して、メンバーが、写真、例えば、電子写真を選択することができる。１つ以上の実施形態では、メンバーには、キャプションを写真に追加するオプションを提供することができる。例えば、図１５Ｃに示されるように、メンバーは、キャプション、例えば、「チームよ、行け！」を入力するように促される。例えば、通信デバイス１００のキーボードを使用して、メンバーが、写真と関連付けられるキャプションをタイプすることができる。１つ以上の実施形態では、デフォルトキャプションを写真と関連付けることができる。例えば、デフォルトキャプションは、写真が撮影された日付および時間等のタイムスタンプとなり得る。メンバーが写真を撮影した後、方法１６００はブロック１６１０に進むことができる。
【００５９】
ブロック１６１０では、写真がグループに投稿される。例えば、図１５Ｃに示されるように、ナビゲーションツール１２７を使用して、メンバーが「送信」オプションを選択することができ、写真は、ネットワークを介して、グループ、例えば、家族グループの中の各メンバーと関連付けられた通信デバイスに送信される。例えば、第１のメンバーと関連付けられた通信デバイス１００は、写真をグループの残りのメンバーに送信することができ、写真およびキャプションを、図１５Ｄに示されるように、グループのメンバーと関連付けられた通信デバイス１００上で表示することができる。写真がグループに投稿された後、方法１６００はブロック１６１２に進むことができる。
【００６０】
ブロック１６１２では、写真ホーム画面が表示される。例えば、通信デバイス１００は、写真ホーム画面を表示し、メンバーがそこから進むことを可能にすることができる。例えば、図９００に示された写真ホーム画面９００を表示することができ、それにより、メンバーがそこから進むことを可能にする。
【００６１】
図１７Ａを参照すると、例示的実施形態による、写真と関連付けられたコメントを追加し、コメントをグループに送信するためが図示されている。方法を実行するための種々の手段があるため、例示的な方法１７００は一例として提供される。１つ以上の実施形態では、方法１７００は、アイテム管理プログラム２５９によって行われる。方法１７００は、種々のシステムのうちの１つまたは組み合わせによって実行するか、またはそうでなければ実施することができる。以下で説明される方法１７００は、一例として、通信デバイス１００、ならびに図１Ａ、１Ｂ、および２に示された通信ネットワークを使用して実行することができ、これらの図の種々の要素が、例示的な方法１７００を説明する際に参照される。図１７Ａに示された各ブロックは、例示的な方法１７００で実行される１つ以上の過程、方法、またはサブルーチンを表す。例示的な方法１７００は、ブロック１７０２から始まってもよい。
【００６２】
ブロック１７０２では、写真が選択される。例えば、ナビゲーションツール１２７を使用して、メンバーが写真を閲覧し、選択することができる。ナビゲーションツール１２７を使用して、メンバーが、サムネイル写真１０１２をスクロールし、サムネイル写真１０１２をクリックすることにより写真を選択することによって、図１０に示されたフォトビューア１０００に示される写真を閲覧することができる。コメントする写真を選択した後、方法１７００はブロック１７０４に進むことができる。
【００６３】
ブロック１７０４では、写真について話し合うオプションが選択される。例えば、ナビゲーションツール１２７を使用して、メンバーが、図１７Ｂに示されるようにメニューリストを表示させることができ、「写真について話し合う」オプションを選択することができる。表示されるメニューリストから写真について話し合うオプションを選択した後、方法１７００はブロック１７０６に進むことができる。
【００６４】
ブロック１７０６では、コメントが入力される。例えば、図１７Ｃに示されるように、メンバーは、コメント、例えば、「なんて素晴らしい集まりだろう！」を入力するように促される。例えば、通信デバイス１００のキーボードを使用して、メンバーが、写真と関連付けられるコメントをタイプすることができる。コメントを入力した後、方法１７００はブロック１７０８に進むことができる。
【００６５】
ブロック１７０８では、コメントがグループに投稿される。通信デバイス１００のキーボード上のエンターキーを打つことによって、コメントをグループの他のメンバーに提供することができる。例えば、第１のメンバーと関連付けられた通信デバイス１００は、コメントをグループの残りのメンバーに送信することができ、コメントを、図１７Ｄに示されるように、グループのメンバーと関連付けられた通信デバイス１００上で表示することができる。図１７Ｄは１つだけのコメントを示すが、他のコメントがあれば、それらも表示することができる。各コメントは、日付スタンプ、タイムスタンプ、コメントを送信した個人、およびコメントを含むことができる。
【００６６】
図１８Ａを参照すると、例示的実施形態による、音声注釈を写真に追加するための方法のフローチャートが図示されている。方法を実行するための種々の手段があるため、例示的な方法１８００は一例として提供される。１つ以上の実施形態では、方法１８００は、アイテム管理プログラム２５９によって行われる。方法１８００は、種々のシステムのうちの１つまたは組み合わせによって実行するか、またはそうでなければ実施することができる。以下で説明される方法１８００は、一例として、通信デバイス１００、ならびに図１Ａ、１Ｂ、および２に示された通信ネットワークを使用して実行することができ、これらの図の種々の要素が、例示的な方法１８００を説明する際に参照される。図１８Ａに示された各ブロックは、例示的な方法１８００で実行される１つ以上の過程、方法、またはサブルーチンを表す。例示的な方法１８００は、ブロック１８０２から始まってもよい。
【００６７】
ブロック１８０２では、音声注釈を写真に追加するように、写真が選択される。例えば、ナビゲーションツール１２７を使用して、メンバーが写真を閲覧し、選択することができる。ナビゲーションツール１２７を使用して、メンバーが、サムネイル写真１０１２をスクロールし、サムネイル写真１０１２をクリックすることにより写真を選択することによって、図１０に示されたフォトビューア１０００に示される写真を閲覧することができる。コメントする写真を選択した後、方法１８００はブロック１８０４に進むことができる。
【００６８】
ブロック１８０４では、「音声注釈を追加する」オプションが選択される。例えば、ナビゲーションツール１２７を使用して、メンバーが、図１８Ｂに示されるようにメニューリストを表示させることができ、「音声注釈を追加する」オプションを選択することができる。表示されるメニューリストから音声注釈を追加するオプションを選択した後、方法１８００はブロック１８０６に進むことができる。
【００６９】
ブロック１８０６では、「録音」オプションが選択される。例えば、ナビゲーションツール１２７を使用して、メンバーが、図１８Ｃに示された表示から「録音」オプションを選択することができる。表示は、メンバーが「音声注釈を追加する」を選択することに応じて表示することができる。表示は、写真、音声メッセージの長さを示すスクロールバー、音声メッセージの長さを示す時間カウンタ、録音ボタンまたはアイコン、およびキャンセルボタンまたはアイコンを含むことができる。「録音」オプションを選択した後、方法１８００はブロック１８０８に進むことができる。
【００７０】
ブロック１８０６では、音声注釈が録音される。例えば、メンバーが、通信デバイス１００のマイクロホン２３６に話し掛け、音声注釈または音声メッセージを録音する。「録音する」オプションをクリックすることによって、録音が停止できる。音声注釈を録音した後、方法１８００はブロック１８０８に進むことができる。
【００７１】
ブロック１８０８では、音声注釈が再生される。例えば、ナビゲーションツール１２７を使用して、メンバーが、「再生」オプションを選択し、通信デバイス１００のスピーカ２３４上で録音された音声注釈を聴くことができる。ブロック１８０８は、メンバーが音声注釈を聴く必要はないという点で随意的である。音声注釈を聴いた後、方法１８００はブロック１８１０に進むことができる。
【００７２】
ブロック１８１０では、録音された音声注釈がキャンセルされる。例えば、ナビゲーションツール１２７を使用して、メンバーが、「キャンセル」オプションを選択し、音声注釈をキャンセルすることができる。音声注釈をキャンセルした後、方法はブロック１８０４に進んで、新しい音声注釈を録音することができる。例えば、音声注釈をキャンセルした後、メンバーは、図１８Ｃに示された表示から「録音」オプションを選択することができる。メンバーが図１８Ｃに示された「キャンセル」オプションを選択すること選んだ場合、方法１８００は終了することができる。
【００７３】
ブロック１８１２では、音声注釈を添付することができる。例えば、ナビゲーションツール１２７を使用して、メンバーが、図１８Ｄに示された表示から「添付」オプションを選択して、音声注釈を写真に添付させ、他のメンバーに投稿させることができる。音声注釈を添付することを選択した後、方法１８００はブロック１８１４に進むことができる。
【００７４】
ブロック１８１４では、録音された音声注釈がグループに投稿される。「添付」オプションを打つことによって、録音されたがグループの他のメンバーに投稿される。例えば、第１のメンバーと関連付けられた通信デバイス１００は、写真および音声注釈をグループの残りのメンバーに送信することができ、コメントを、図１８Ｅに示されるように、グループのメンバーと関連付けられた通信デバイス１００上で表示することができる。示されるように、写真は、「チームよ、行け！」というキャプション、その写真が音声注釈を含むことを示すアイコン、および討論アイコンを含むことができる。
【００７５】
図１９Ａを参照すると、例示的実施形態による、写真をお気に入りリストに追加するための方法のフローチャートが図示されている。方法を実行するための種々の手段があるため、例示的な方法１９００は一例として提供される。１つ以上の実施形態では、方法１９００は、アイテム管理プログラム２５９によって行われる。方法１９００は、種々のシステムのうちの１つまたは組み合わせによって実行するか、またはそうでなければ実施することができる。以下で説明される方法１９００は、一例として、通信デバイス１００、ならびに図１Ａ、１Ｂ、および２に示された通信ネットワークを使用して実行することができ、これらの図の種々の要素が、例示的な方法１９００を説明する際に参照される。図１９Ａに示された各ブロックは、例示的な方法１９００で実行される１つ以上の過程、方法、またはサブルーチンを表す。例示的な方法１９００は、ブロック１９０２から始まってもよい。
【００７６】
ブロック１９０２では、お気に入りとして追加するように、写真が選択される。例えば、ナビゲーションツール１２７を使用して、メンバーが写真を閲覧し、選択することができる。ナビゲーションツール１２７を使用して、メンバーが、サムネイル写真１０１２をスクロールし、サムネイル写真１０１２をクリックすることにより写真を選択することによって、図１０に示されたフォトビューア１０００に示される写真を閲覧することができる。お気に入りとして追加するように写真を選択した後、方法１９００はブロック１９０４に進むことができる。
【００７７】
ブロック１９０４では、「お気に入りとしてタグ付けする」オプションが選択される。例えば、ナビゲーションツール１２７を使用して、メンバーが、図１９Ｂに示されるようにメニューリストを表示させることができ、「お気に入りとしてタグ付けする」オプションを選択することができる。表示されるメニューリストから、お気に入りとしてタグ付けするオプションを選択した後、方法１９００はブロック１９０６に進むことができる。メニューリストを表示させた後、方法１９００はブロック１９０６に進むことができる。
【００７８】
ブロック１９０６では、写真がお気に入りとしてマークされる。例えば、星等のアイコンが写真と関連付けられる。写真がお気に入りとしてマークされた後、方法１９００はブロック１９０８に進むことができる。
【００７９】
ブロック１９０８では、コメントがグループに投稿される。例えば、メンバーが写真をお気に入りとしてマークしたことを知らせるコメントが、グループの他のメンバーに投稿される。メンバーが写真を選択したため、およびグループのメンバーが写真と関連付けられるため、写真をお気に入りとしてマークすることに関するコメントが、グループのメンバーと関連付けられた通信デバイス１００に提供される。
【００８０】
図２０Ａを参照すると、例示的実施形態による、写真へのキャプションを編集するための方法のフローチャートが図示されている。方法を実行するための種々の手段があるため、例示的な方法２０００は一例として提供される。１つ以上の実施形態では、方法２０００は、アイテム管理プログラム２５９によって行われる。方法２０００は、種々のシステムのうちの１つまたは組み合わせによって実行するか、またはそうでなければ実施することができる。以下で説明される方法２０００は、一例として、通信デバイス１００、ならびに図１Ａ、１Ｂ、および２に示された通信ネットワークを使用して実行することができ、これらの図の種々の要素が、例示的な方法２０００を説明する際に参照される。図２０Ａに示された各ブロックは、例示的な方法２０００で実行される１つ以上の過程、方法、またはサブルーチンを表す。例示的な方法２０００は、ブロック２００２から始まってもよい。
【００８１】
ブロック２００２では、関連キャプションを編集するように、写真が選択される。例えば、ナビゲーションツール１２７を使用して、メンバーが写真を閲覧し、選択することができる。ナビゲーションツール１２７を使用して、メンバーが、サムネイル写真１０１２をスクロールし、サムネイル写真１０１２をクリックすることにより写真を選択することによって、図１０に示されたフォトビューア１０００に示される写真を閲覧することができる。キャプションを編集するように写真を選択した後、方法２０００はブロック２００４に進むことができる。
【００８２】
ブロック２００４では、「キャプションを編集する」オプションが選択される。例えば、ナビゲーションツール１２７を使用して、メンバーが、図２０Ｂに示されるようにメニューリストを表示させることができ、「キャプションを編集する」オプションを選択することができる。表示されるメニューリストから、キャプションを編集するオプションを選択した後、方法２０００はブロック２００６に進むことができる。
【００８３】
ブロック２００６では、キャプションが編集される。例えば、キーボード１３２を使用して、メンバーが、図２０Ｃに示されるように新しいキャプションを編集またはタイプすることができる。キャプションを編集した後、方法２０００はブロック２００８に進むことができる。
【００８４】
ブロック２００８では、改正されたキャプションがグループに投稿される。例えば、ナビゲーションツール１２７を使用して、メンバーが、送信するオプションを選択して、写真および改正されたキャプションをグループに投稿させることができる。別の実施形態では、通信デバイス１００のキーボード上のエンターキーを打つことによって、写真および改正されたキャプションをグループに提供することができる。メンバーが写真を選択したため、およびグループのメンバーが写真と関連付けられるため、写真および改正されたキャプションが、グループのメンバーと関連付けられた通信デバイス１００に提供される。
【００８５】
図２１Ａを参照すると、例示的実施形態による、以前のコメントを削除するための方法のフローチャートが図示されている。方法を実行するための種々の手段があるため、例示的な方法２１００は一例として提供される。１つ以上の実施形態では、方法２１００は、アイテム管理プログラム２５９によって行われる。方法２１００は、種々のシステムのうちの１つまたは組み合わせによって実行するか、またはそうでなければ実施することができる。以下で説明される方法２１００は、一例として、通信デバイス１００、ならびに図１Ａ、１Ｂ、および２に示された通信ネットワークを使用して実行することができ、これらの図の種々の要素が、例示的な方法２１００を説明する際に参照される。図２１Ａに示された各ブロックは、例示的な方法２１００で実行される１つ以上の過程、方法、またはサブルーチンを表す。例示的な方法２１００は、ブロック２１０２から始まってもよい。
【００８６】
ブロック２１０２では、以前のコメントを削除するように、写真が選択される。例えば、ナビゲーションツール１２７を使用して、メンバーが写真を閲覧し、選択することができる。ナビゲーションツール１２７を使用して、メンバーが、サムネイル写真１０１２をスクロールし、サムネイル写真１０１２をクリックすることにより写真を選択することによって、図１０に示されたフォトビューア１０００に示される写真を閲覧することができる。キャプションを編集するように写真を選択した後、方法２１００はブロック２１０４に進むことができる。
【００８７】
ブロック２１０４では、コメントが選択される。例えば、ナビゲーションツール１２７を使用して、メンバーが、コメントを選択することができる。コメントを選択した後、方法２１００はブロック２１０６に進むことができる。
【００８８】
ブロック２１０６では、「以前のコメントを削除する」オプションが選択される。例えば、ナビゲーションツール１２７を使用して、メンバーが、図２１Ｂに示されるようにメニューリストを表示させることができ、「以前のコメントを削除する」オプションを選択することができる。表示されるメニューリストから、以前のコメントを削除するオプションを選択した後、方法２１００はブロック２１０８に進むことができる。
【００８９】
ブロック２１０８では、選択されたコメントの前のコメントが削除される。例えば、選択されたコメントの前のコメントが削除され、もはや写真と関連付けられない。したがって、誰かが写真にアクセスした場合、削除されたコメントは表示されない。
【００９０】
図２２Ａを参照すると、例示的実施形態による、写真を削除するための方法のフローチャートが図示されている。方法を実行するための種々の手段があるため、例示的な方法２２００は一例として提供される。１つ以上の実施形態では、方法２２００は、アイテム管理プログラム２５９によって行われる。方法２２００は、種々のシステムのうちの１つまたは組み合わせによって実行するか、またはそうでなければ実施することができる。以下で説明される方法２２００は、一例として、通信デバイス１００、ならびに図１Ａ、１Ｂ、および２に示された通信ネットワークを使用して実行することができ、これらの図の種々の要素が、例示的な方法２２００を説明する際に参照される。図２２Ａに示された各ブロックは、例示的な方法２２００で実行される１つ以上の過程、方法、またはサブルーチンを表す。例示的な方法２２００は、ブロック２２０２から始まってもよい。
【００９１】
ブロック２２０２では、削除のために写真が選択される。例えば、ナビゲーションツール１２７を使用して、メンバーが写真を閲覧し、選択することができる。ナビゲーションツール１２７を使用して、メンバーが、サムネイル写真１０１２をスクロールし、サムネイル写真１０１２をクリックすることにより写真を選択することによって、図１０に示されたフォトビューア１０００に示される写真を閲覧することができる。削除する写真を選択した後、方法２２００はブロック２２０４に進むことができる。
【００９２】
ブロック２２０４では、「写真を削除する」オプションが選択される。例えば、ナビゲーションツール１２７を使用して、メンバーが、図２２Ｂに示されるようにメニューリストを表示させることができ、「写真を削除する」オプションを選択することができる。表示されるメニューリストから、以前のコメントを削除するオプションを選択した後、方法２２００はブロック２１０６に進むことができる。
【００９３】
ブロック２２０６では、削除が確認される。例えば、削除を確認するようにメンバーを促すことができる。ナビゲーションツール１２７を使用して、メンバーは削除を拒絶することができ、方法２２００はグループホーム画面に進むことができる。写真の削除を確認した後、方法２２００はブロック２２０８に進むことができる。
【００９４】
ブロック２２０８では、写真が削除される。例えば、メンバーはもはや写真にアクセスすることができず、写真はフォトビューア１０００で表示されない。
【００９５】
図２３Ａを参照すると、例示的実施形態による、アイテムまたはアイテムと関連付けられた会話をアーカイブに保管するための方法のフローチャートが図示されている。方法を実行するための種々の手段があるため、例示的な方法２３００は一例として提供される。１つ以上の実施形態では、方法２３００は、アイテム管理プログラム２５９によって行われる。方法２３００は、種々のシステムのうちの１つまたは組み合わせによって実行するか、またはそうでなければ実施することができる。以下で説明される方法２３００は、一例として、通信デバイス１００、ならびに図１Ａ、１Ｂ、および２に示された通信ネットワークを使用して実行することができ、これらの図の種々の要素が、例示的な方法２３００を説明する際に参照される。図２３Ａに示された各ブロックは、例示的な方法２３００で実行される１つ以上の過程、方法、またはサブルーチンを表す。例示的な方法２３００は、ブロック２３０２から始まってもよい。
【００９６】
ブロック２３０２では、「送信する」オプションが選択される。例えば、ナビゲーションツール１２７を使用して、メンバーが、図１８Ｂまたは図２３Ｂに示されるようにメニューリストを表示させることができる。例えば、メンバーが写真または画像を送信したい場合、メンバーは、図１８Ｂに示されるようなメニューから「〜に写真を送信する」を選択することができる。別の実施例では、ンバーが会話を送信したい場合、メンバーは、図２３Ｂに示されるようなメニューから「〜に会話を送信する」を選択することができる。「送信する」オプションを使用して、メンバーは、アイテム、例えば、写真、会話、連絡先、リスト、音声メッセージ、または同等物をアーカイブに保管するか、または記憶することができる。表示されるメニューリストから送信するオプションを選択した後、方法２３００はブロック２３０４に進むことができる。
【００９７】
ブロック２３０４では、アイテムを送信する手段が選択される。例えば、いったん「送信する」オプションが選択されると、図２３Ｃに示されるように、別のメニューを表示することができる。ナビゲーションツール１２７を選択して、メンバーは、メニューからオプションを「選択」して、アイテム（例えば、写真、会話、連絡先、リスト、音声メッセージ、または同等物）を誰かに送信することができる。例えば、メンバーは、そのメンバーと関連付けられたＥメールアドレスにアイテムを送信して、アイテムを記憶することを選択することができる。示されるように、メンバーは、Ｅメール、グループメッセージ、メッセンジャーの連絡、ＭＭＳ、ＰＩＮ、またはＳＭＳによってアイテムを送信することができる。表示されるメニューリストから手段を選択した後、方法２３００はブロック２３０６に進むことができる。
【００９８】
ブロック２３０６では、連絡先情報を入力または選択することができる。例えば、連絡先情報（例えば、ＥメールアドレスまたはＰＩＮ）を入力するようにメンバーを促すことができ、メンバーが当技術分野で公知のようなメニューから連絡先情報を選択することができ、またはそれらの任意の組み合わせである。連絡先情報を入力または選択した後、方法２３００はブロック２３０８に進むことができる。
【００９９】
ブロック２３０８では、アイテムが送信される。例えば、通信デバイス１００が、アイテム（例えば、写真、会話、連絡先、リスト、音声メッセージ、または同等物）を、入力または選択された連絡先情報と関連付けられた各通信デバイス１００に送信することができる。
【０１００】
図２４Ａ-２４Ｆを参照すると、例示的実施形態による、概観アプレットの一連のスクリーンショット２４００が図示されている。図２４Ａは、グループアプレットの例示的なスクリーンショットを示す。示されるように、ユーザは、１人の他のメンバーを有する「ＩＰグループ」、および１人の他のメンバーを有する「試験グループ」といった、２つのグループのメンバーである。ナビゲーションツール１２７を使用して、ユーザは、グループ、例えば、試験グループを選択することができる。図２４Ｂは、試験グループのメインまたはホーム画面の例示的なスクリーンショットを示す。図２４Ｃは、ハイライトされている概観アプレットの例示的なスクリーンショットを示す。例えば、ナビゲーションツール１２７を使用して、ユーザが、概観アプレット上にポインタを配置することができるか、または概観アプレットを選択することができる。図２４Ｄは、概観アプレットが選択された後の例示的なスクリーンショット、例えば、グループ活動アプレットのホーム画面である。概観アプレット５０６ａは、ユーザがメッセージを作成すること、音声注釈を録音すること、メッセージを再検討すること、またはそれらの任意の組み合わせを可能にすることができる。ホーム画面は、メッセージスレッド、写真スレッド、および音声注釈スレッド等の異なるスレッドを表示することができる。示されるように、写真スレッド、例えば、「私はＴＩＭ  ＨＡＷＫＥＳ」スレッド、および「Ｌｉｓａ」スレッドの下に１つのメッセージスレッドがある。Ｌｉｓａスレッドと関連付けられたアイコン、例えば、赤い星は、新しいメッセージがスレッドに投稿されたことを示す。ユーザは、メッセージを作成するアイコンを選択することによってメッセージを起草する、録音アイコンを選択することによって新しい音声注釈を録音する、またはスレッドを選択することによって表示されたスレッドを開くことができる。図２４Ｅは、ハイライトされている「新しい音声注釈を録音する」アプレットの例示的なスクリーンショットを示す。例えば、ナビゲーションツール１２７を使用して、ユーザが、新しい音声注釈を録音するアプレット上にポインタを配置することができるか、または新しい音声を録音するアプレットを選択することができる。図２４Ｆは、選択されたスレッドの例示的なスクリーンショットを示す。例えば、ナビゲーションツール１２７を使用して、ユーザが「私はＴＩＭ  ＨＡＷＫＥＳ」スレッドを選択した。このスレッドは、別の一連のスクリーンショットにおいて以下で論議される、「コテージ」と題された写真を含む。
【０１０１】
図２５Ａ-２５Ｉを参照すると、例示的実施形態による、写真と関連付けられた一連のスクリーンショット２５００が図示されている。図２５Ａは、例示的な写真、例えば、図２４Ｆに表示された「“コテージ”に写真追加」スレッドからのコテージの写真を示す。最初に、図２５Ｂに示されるように、１つ以上の写真のオーバーレイとともに写真を表示することができる。図１０および２６Ｇは、複数の写真のオーバーレイを有する写真を示す。設定された期間後、オーバーレイは表示から消滅することができる。図２５Ａおよび２５Ｂに示されるように、写真は「コテージ」と題され、「約１時間前」というコメントを有する。図２５Ｃに示されるように、メンバーがメニューを表示させることができ、例えば、メンバーがメニューリストを表示させることができる。示されるように、「写真について話し合う」オプションがハイライトされている。図２５Ｄは、写真、例えば、コテージの写真と関連付けることができるコメントを入力するようにメンバーを促す、例示的なスクリーンショットを示す。コメントボックスの中に、メンバーが「素敵な写真ですね。どこで撮ったのですか？」と入力する。コメントは、例えば、デバイス上のリターンキーを打つことによって、グループのメンバーに送信することができる。図２５Ｅは、投稿されたコメントを表示する例示的なスクリーンショットを示す。図２５Ｆは、「素敵な写真ですね。どこで撮ったのですか？」という新しいコメントを伴うスレッドの例示的なスクリーンショットを示す。示されるように、Ｌｉｓａが最後のコメントを入力し、アイコン、例えば、吹き出しが、彼女が新しいコメントを追加したことを示す。図２５Ｇは、コテージの写真を示し、コメントが写真に追加されたという指示を提供する、アイコン、例えば、吹き出しを含む。示されるように、表示された写真およびオーバーレイは各々、吹き出しアイコンを含む。図２５Ｈは、コメントが写真スレッドに追加されたことを示す、アイコン、例えば、吹き出しを含む、写真スレッドを有する概観ホーム画面を示す。図２５Ｉは、コメントを含む写真スレッドを示す。示されるように、メンバー「私はＴＩＭ  ＨＡＷＫＥＳ」が、Ｌｉｓａの質問／コメントに応答し、写真が「Ｐｏｒｔ  Ｓｙｄｎｅｙ、Ｈｕｎｔｓｖｉｌｌｅのすぐそば」で撮影されたと答えた。
【０１０２】
図２６Ａ−２６Ｎを参照すると、写真を再検討するための一連のスクリーンショット２６００が図示されている。図２６Ａは、グループ、例えば、試験グループの中の新しいアラート、例えば、コメントまたはメッセージを示すアイコン、例えば、赤い星を伴う通信デバイス１００のホーム画面を示す。図２６Ｂは、グループアプレットの例示的なスクリーンショットを示す。示されるように、通信デバイスのユーザは、ＩＰグループおよび試験グループのメンバーであり、試験グループは、そのグループの中の新しいアラートを示す赤い星のアイコンを有する。ナビゲーションツール１２７を使用して、メンバーが試験グループを選択することができる。図２６Ｃは、グループ写真セクションの中に新しい活動があることを示すアイコン、例えば、赤い星を伴う試験グループの例示的なホーム画面を示す。図２６Ｄは、ハイライトされている写真アプレットの例示的なスクリーンショットを示す。例えば、ナビゲーションツール１２７を使用して、ユーザが、写真アプレット上にポインタを配置することができるか、または写真アプレットを選択することができる。図２６Ｅは、写真アプレットのホーム画面を示す。示されるように、３つの最近の投稿された写真があり、一番上の写真は、新しいコメントが追加されたことを示すアイコン、例えば、吹き出しを含む。図２６Ｆは、画面をスクロールダウンした後の写真アプレットのホーム画面を示す。ユーザは、写真のうちのいずれかを選択することができ、「コテージ」および「昨日は楽しかった！」写真は、新しいコメントがこれらの写真の各々に関連付けられることを示すアイコンを有する。図２６Ｇは、複数の写真のオーバーレイを伴う選択されたコテージの写真を示す。設定された期間後、オーバーレイは表示から消滅することができる。図２６Ｈは、オーバーレイがないコテージの写真を示す。図２６Ｉは、複数の写真のオーバーレイを伴う「昨日は楽しかった！」というキャプション付きの選択された写真を示す。図２６Ｊは、オーバーレイがない「昨日は楽しかった！」というキャプション付きの選択された写真を示す。図２６Ｇおよび２６Ｉでは、オーバーレイは、どの写真が写真と関連付けられたコメントを有するかを示す、アイコンを含む。図２６Ｋは、概観アプレットがハイライトされている、試験グループの例示的なホーム画面を示す。ナビゲーションツール１２７を使用して、メンバーが概観アプレットを選択することができる。図２６Ｌは、概観アプレットと関連付けられたメッセージを示す。示されるように、３つのスレッドがあり、一番上のスレッドは、星印を伴う指標と、コメントが「幽霊？すごーい」である、「私はＴＩＭ  ＨＡＷＫＥＳ」による写真スレッドに対するコメントを示す吹き出しとを有する。本実施例では、未読コメントが太字で示されている。図２６Ｍは、選択されたスレッド、例えば、一番上のスレッドと関連付けられたコメントを示す。例えば、ナビゲーションツール１２７を使用して、ユーザがスレッドを選択することができる。図２６Ｎは、スレッドと関連付けられた写真を示す。例えば、ナビゲーションツール１２７を使用して、ユーザが、図２６Ｍに示された「写真を開く」アイコンを選択することができる���
【０１０３】
先行の明細書では、添付素面を参照して、種々の好ましい実施形態を説明してきた。しかしながら、以下に続く請求項で記載されるような本発明のより広い範囲から逸脱することなく、種々の修正および変更がそれに行われてもよく、付加的な実施形態が実装されても良いことが明白となるであろう。したがって、本明細書および図面は、制約的な意味よりもむしろ、例示的な意味で考えられるものである。
【図１Ａ】
0005600161.tif 000002
【図１Ｂ】
0005600161.tif 000003
【図２】
0005600161.tif 000004
【図３】
0005600161.tif 000005
【図４】
0005600161.tif 000006
【図５】
0005600161.tif 000007
【図６】
0005600161.tif 000008
【図７】
0005600161.tif 000009
【図８】
0005600161.tif 000010
【図９】
0005600161.tif 000011
【図１０】
0005600161.tif 000012
【図１１】
0005600161.tif 000013
【図１２】
0005600161.tif 000014
【図１３】
0005600161.tif 000015
【図１４】
0005600161.tif 000016
【図１５Ａ】
0005600161.tif 000017
【図１５Ｂ】
0005600161.tif 000018
【図１５Ｃ】
0005600161.tif 000019
【図１５Ｄ】
0005600161.tif 000020
【図１６】
0005600161.tif 000021
【図１７Ａ】
0005600161.tif 000022
【図１７Ｂ】
0005600161.tif 000023
【図１７Ｃ】
0005600161.tif 000024
【図１７Ｄ】
0005600161.tif 000025
【図１８Ａ】
0005600161.tif 000026
【図１８Ｂ】
0005600161.tif 000027
【図１８Ｃ】
0005600161.tif 000028
【図１８Ｄ】
0005600161.tif 000029
【図１８Ｅ】
0005600161.tif 000030
【図１９Ａ】
0005600161.tif 000031
【図１９Ｂ】
0005600161.tif 000032
【図２０Ａ】
0005600161.tif 000033
【図２０Ｂ】
0005600161.tif 000034
【図２０Ｃ】
0005600161.tif 000035
【図２１Ａ】
0005600161.tif 000036
【図２１Ｂ】
0005600161.tif 000037
【図２２Ａ】
0005600161.tif 000038
【図２２Ｂ】
0005600161.tif 000039
【図２３Ａ】
0005600161.tif 000040
【図２３Ｂ】
0005600161.tif 000041
【図２３Ｃ】
0005600161.tif 000042
【図２４Ａ】
0005600161.tif 000043
【図２４Ｂ】
0005600161.tif 000044
【図２４Ｃ】
0005600161.tif 000045
【図２４Ｄ】
0005600161.tif 000046
【図２４Ｅ】
0005600161.tif 000047
【図２４Ｆ】
0005600161.tif 000048
【図２５Ａ】
0005600161.tif 000049
【図２５Ｂ】
0005600161.tif 000050
【図２５Ｃ】
0005600161.tif 000051
【図２５Ｄ】
0005600161.tif 000052
【図２５Ｅ】
0005600161.tif 000053
【図２５Ｆ】
0005600161.tif 000054
【図２５Ｇ】
0005600161.tif 000055
【図２５Ｈ】
0005600161.tif 000056
【図２５Ｉ】
0005600161.tif 000057
【図２６Ａ】
0005600161.tif 000058
【図２６Ｂ】
0005600161.tif 000059
【図２６Ｃ】
0005600161.tif 000060
【図２６Ｄ】
0005600161.tif 000061
【図２６Ｅ】
0005600161.tif 000062
【図２６Ｆ】
0005600161.tif 000063
【図２６Ｇ】
0005600161.tif 000064
【図２６Ｈ】
0005600161.tif 000065
【図２６Ｉ】
0005600161.tif 000066
【図２６Ｊ】
0005600161.tif 000067
【図２６Ｋ】
0005600161.tif 000068
【図２６Ｌ】
0005600161.tif 000069
【図２６Ｍ】
0005600161.tif 000070
【図２６Ｎ】
0005600161.tif 000071